(57)【要約】  休止駆動を行う場合であってもフリッカー発生等の問題が生じない液晶表示装置およびその駆動方法を提供する。  液晶表示装置にスリープインコマンドが入力されると、当該コマンドの入力時点までに液晶層に印加された電圧による極性の偏りに起因して偏在した不純物イオンによる電荷の蓄積を解消するために、交流電圧を生成して液晶層に印加するようにソースドライバおよびゲートドライバを制御する。これにより、液晶表示装置は、偏在した不純物イオンによる電荷の蓄積が解消された状態でスリープ期間に移行する。このため、スリープ期間から復帰したときに、液晶の焼き付きによる残像が生じたり最適共通電圧のずれによるフリッカーが生じたりすることがなくなる。
2015072402.tif 000002
【特許請求の範囲】
【請求項１】
入力画像データに応じた電圧を表示部の液晶層に印加することにより前記入力画像データの表す画像を前記表示部に表示する液晶表示装置であって、
前記入力画像データに応じた電圧を前記液晶層に印加するための駆動部と、
前記液晶表示装置の少なくとも一部の機能の停止させるオフ信号が入力されると交流電圧を生成し、前記交流電圧を前記液晶層に印加するように前記駆動部を制御する表示制御部とを備える、液晶表示装置。
【請求項２】
前記表示部は、前記液晶層に印加すべき電圧をデータ電圧として保持するように構成された複数の画素形成部を含み、
前記表示制御部は、
前記液晶層に印加された電圧の極性偏り値を求める極性偏り算出部と、
前記オフ信号が入力されると、前記交流電圧を生成する交流電圧生成部と、
前記オフ信号の入力時点以前と入力時点以後とで前記駆動部の動作が異なるように前記駆動部を制御するバランス制御部とを含み、
前記バランス制御部は、前記オフ信号の入力時点以後において、前記極性偏り算出部により求められた前記オフ信号の入力時点における前記極性偏り値が“０”よりも大きいとき、前記交流電圧生成部で生成された前記交流電圧を前記複数の画素形成部にそれぞれ印加するように前記駆動部を制御することを特徴とする、請求項１に記載の液晶表示装置。
【請求項３】
前記表示制御部は、各フレーム期間につき当該フレーム期間が前記複数の画素形成部にデータ電圧を書き込むリフレッシュ期間または前記複数の画素形成部へのデータ電圧の書込を休止する休止期間のいずれであるかを判定するＲＥＦ／ＮＲＥＦ判別部を更に含み、
前記極性偏り算出部は、前記ＲＥＦ／ＮＲＥＦ判別部による判定結果に基づいて求めた前記極性偏り値を保持し、前記オフ信号の入力時点における前記極性偏り値を前記バランス制御部に出力することを特徴とする、請求項２に記載の液晶表示装置。
【請求項４】
前記バランス制御部は、前記オフ信号の入力時点以前においては、前記ＲＥＦ／ＮＲＥＦ判別部による判定結果に基づき、前記複数の画素形成部にデータ電圧を書き込むリフレッシュ期間と前記複数の画素形成部へのデータ電圧の書込を休止する休止期間とが交互に現れるように前記駆動部を制御することを特徴とする、請求項３に記載の液晶表示装置。
【請求項５】
前記表示部に形成され、前記画素形成部と前記駆動部とを接続する複数本のデータ信号線および複数本の走査信号線を更に備え、
前記バランス制御部は、前記複数本の走査信号線を１本または複数本ずつまとめて順にアクティブにすると共に、前記複数本のデータ信号線に前記交流電圧を印加するように駆動部を制御することを特徴とする、請求項２に記載の液晶表示装置。
【請求項６】
前記表示部の背面側に設けられ、前記表示部に向けてバックライト光を照射するためのバックライトユニットを更に備え、
前記バランス制御部は、前記画素形成部に前記交流電圧が印加されているときに、前記バックライトユニットの電源をオフするように前記バックライトユニットを制御することを特徴とする、請求項５に記載の液晶表示装置。
【請求項７】
前記表示部に形成され、前記画素形成部と前記駆動部とを接続するデータ信号線および走査信号線を更に備え、
前記交流電圧を前記画素形成部に印加した後に、前記画素形成部に保持されている前記データ電圧を放電させために、前記走査信号線を順にアクティブにし、前記データ信号線の電位を基準電位になるように前記駆動部を制御することを特徴とする、請求項２に記載の液晶表示装置。
【請求項８】
前記オフ信号は、前記液晶表示装置を前記表示部の機能を停止させるためのディスプレイオフコマンドであり、
前記液晶表示装置は、前記画素形成部に書き込まれたデータ電圧が放電された後にディスプレイオフ期間に移行することを特徴とする、請求項７に記載の液晶表示装置。
【請求項９】
電源電圧を供給する電源回路を更に備え、
前記オフ信号は、前記液晶表示装置をスリープ期間に移行させるためのスリープインコマンドであり、
前記バランス制御部は、スリープインコマンドが入力されれば、前記画素形成部に書き込まれたデータ電圧を放電させた後に、前記電源電圧の供給を停止するように前記電源回路を駆動することを特徴とする、請求項７に記載の液晶表示装置。
【請求項１０】
前記画素形成部と前記駆動部とを接続する、前記表示部に形成されたデータ信号線および走査信号線を更に備え、
前記画素形成部は、
前記データ電圧を保持するための画素容量と、
前記走査信号線に制御端子が接続され、前記データ信号線に第１導通端子が接続され、前記画素容量に第２導通端子が接続されたスイッチング素子とを含み、
前記スイッチング素子は、酸化物半導体によりチャネル層が形成された薄膜トランジスタを含むことを特徴とする、請求項２に記載の液晶表示装置。
【請求項１１】
前記酸化物半導体は、酸化インジウムガリウム亜鉛を含むことを特徴とする、請求項１０に記載の液晶表示装置。
【請求項１２】
前記交流電圧は、１フレーム期間内に極性が複数回反転することを特徴とする、請求項１に記載の液晶表示装置。
【請求項１３】
前記交流電圧の波形は矩形波であることを特徴とする、請求項１に記載の液晶表示装置。
【請求項１４】
前記交流電圧の振幅は、前記入力画像データの表す画像の輝度のうち最大輝度に対応する電圧値以上の電圧であることを特徴とする、請求項１に記載の液晶表示装置。
【請求項１５】
入力画像データに応じた電圧を表示部の液晶層に印加することにより前記入力画像データの表す画像を前記表示部に表示する液晶表示装置の駆動方法であって、
前記入力画像データに応じた電圧を前記液晶層に印加するための駆動ステップと、
前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備える、液晶表示装置の駆動方法。
【発明の詳細な説明】
【技術分野】
【０００１】
本発明は、液晶表示装置およびその駆動方法に関し、特に、電源をオンしたときに発生する残像やフリッカーを抑制する液晶表示装置およびその駆動方法に関する。
【背景技術】
【０００２】
アクティブマトリクス型液晶表示装置の表示部には、複数の画素形成部がマトリクス状に形成されている。各画素形成部には、スイッチング素子として動作する薄膜トランジスタ（Thin Film Transistor：以下「ＴＦＴ」という）と、当該ＴＦＴを介してデータ信号線に接続された画素容量とが設けられている。このＴＦＴをオン／オフすることにより、画像を表示するためのデータ信号が画素形成部内の画素容量にデータ電圧として書き込まれる。このデータ電圧は画素形成部の液晶層に印加され、液晶分子の配向方向をデータ電圧値に応じた方向に変化させる。このようにして液晶表示装置は、画素形成部毎に液晶層の光透過率を制御して表示部に画像を表示する。【０００３】
しかし、上記のような液晶表示装置において、画像が表示部に表示されているときに電源がオフされれば、各画素形成部のＴＦＴもオフ状態になる。このとき画素形成部内の画素容量に保持されていたデータ電圧はその値を維持した状態でその後も保持される。すなわち、電源をオフした後も、データ電圧に相当する蓄積電荷が画素容量に残存する。このため、画素形成部におけるＴＦＴのオフリーク電流（オフ状態のときにＴＦＴに流れる電流）が小さい場合（例えば酸化インジウムガリウム亜鉛等の酸化物半導体をチャネル層に用いたＴＦＴの場合）には、直流電圧が印加され続けることにより、その後に電源をオンしたときに液晶の焼き付きによる残像が生じたり最適共通電圧のずれによるフリッカーが生じたりするという問題（以下「フリッカー発生等の問題」という）が発生する。【０００４】
特に、このようなフリッカー発生等の問題は、オフリーク電流が小さいＴＦＴを使用する「休止駆動」において生じやすい。ここで休止駆動とは、液晶表示装置の消費電力を低減するために、走査信号線を走査して表示画像のリフレッシュを行う走査期間（「リフレッシュ期間」ともいう）と、全ての走査信号線を非走査状態にしてリフレッシュを休止する休止期間（「非リフレッシュ期間」ともいう）とを交互に設ける駆動方法である。【０００５】
これに対し、オフシーケンス動作において電源をオフする前に、ＴＦＴのオフ抵抗が低下するように走査信号線の電位を制御する構成が日本の特開２０１１−８５６８０号公報に記載されている。この構成によれば、画素形成部に保持されている電圧は速やかにクリアされるので、電源をオフしたときに画素形成部に蓄積電荷が残存しにくくなる。
【先行技術文献】
【特許文献】
【０００６】
【特許文献１】日本の特開２０１１−８５６８０号公報
【発明の概要】
【発明が解決しようとする課題】
【０００７】
しかしながら、本願発明者は、休止駆動を行う液晶表示装置では、電源オフ後に、画素容量に保持されているデータ電圧（画素容量に蓄積された電荷）を放電させるべく日本の特開２０１１−８５６８０号公報に記載の構成を採用しても、液晶層内の不純物イオンの偏在による電荷の蓄積に起因するフリッカー発生等の問題が解消されないことを見出した。【０００８】
そこで本発明は、休止駆動を行う場合であってもフリッカー発生等の問題が生じない液晶表示装置およびその駆動方法を提供することを目的とする。
【課題を解決するための手段】
【０００９】
本発明の第１の局面は、入力画像データに応じた電圧を表示部の液晶層に印加することにより前記入力画像データの表す画像を前記表示部に表示する液晶表示装置であって、
前記入力画像データに応じた電圧を前記液晶層に印加するための駆動部と、
前記液晶表示装置の少なくとも一部の機能の停止させるオフ信号が入力されると交流電圧を生成し、前記交流電圧を前記液晶層に印加するように前記駆動部を制御する表示制御部とを備える。【００１０】
本発明の第２の局面は、本発明の第１の局面において、
前記表示部は、前記液晶層に印加すべき電圧をデータ電圧として保持するように構成された複数の画素形成部を含み、
前記表示制御部は、
前記液晶層に印加された電圧の極性偏り値を求める極性偏り算出部と、
前記オフ信号が入力されると、前記交流電圧を生成する交流電圧生成部と、
前記オフ信号の入力時点以前と入力時点以後とで前記駆動部の動作が異なるように前記駆動部を制御するバランス制御部とを含み、
前記バランス制御部は、前記オフ信号の入力時点以後において、前記極性偏り算出部により求められた前記オフ信号の入力時点における前記極性偏り値が“０”よりも大きいとき、前記交流電圧生成部で生成された前記交流電圧を前記複数の画素形成部にそれぞれ印加するように前記駆動部を制御することを特徴とする。【００１１】
本発明の第３の局面は、本発明の第２の局面において、
前記表示制御部は、各フレーム期間につき当該フレーム期間が前記複数の画素形成部にデータ電圧を書き込むリフレッシュ期間または前記複数の画素形成部へのデータ電圧の書込を休止する休止期間のいずれであるかを判定するＲＥＦ／ＮＲＥＦ判別部を更に含み、
前記極性偏り算出部は、前記ＲＥＦ／ＮＲＥＦ判別部による判定結果に基づいて求めた前記極性偏り値を保持し、前記オフ信号の入力時点における前記極性偏り値を前記バランス制御部に出力することを特徴とする。【００１２】
本発明の第４の局面は、本発明の第３の局面において、
前記バランス制御部は、前記オフ信号の入力時点以前においては、前記ＲＥＦ／ＮＲＥＦ判別部による判定結果に基づき、前記複数の画素形成部にデータ電圧を書き込むリフレッシュ期間と前記複数の画素形成部へのデータ電圧の書込を休止する休止期間とが交互に現れるように前記駆動部を制御することを特徴とする。【００１３】
本発明の第５の局面は、本発明の第２の局面において、
前記表示部に形成され、前記画素形成部と前記駆動部とを接続する複数本のデータ信号線および複数本の走査信号線を更に備え、
前記バランス制御部は、前記複数本の走査信号線を１本または複数本ずつまとめて順にアクティブにすると共に、前記複数本のデータ信号線に前記交流電圧を印加するように駆動部を制御することを特徴とする。【００１４】
本発明の第６の局面は、本発明の第５の局面において、
前記表示部の背面側に設けられ、前記表示部に向けてバックライト光を照射するためのバックライトユニットを更に備え、
前記バランス制御部は、前記画素形成部に前記交流電圧が印加されているときに、前記バックライトユニットの電源をオフするように前記バックライトユニットを制御することを特徴とする。【００１５】
本発明の第７の局面は、本発明の第２の局面において、
前記表示部に形成され、前記画素形成部と前記駆動部とを接続するデータ信号線および走査信号線を更に備え、
前記交流電圧を前記画素形成部に印加した後に、前記画素形成部に保持されている前記データ電圧を放電させために、前記走査信号線を順にアクティブにし、前記データ信号線の電位を基準電位になるように前記駆動部を制御することを特徴とする。【００１６】
本発明の第８の局面は、本発明の第７の局面において、
前記オフ信号は、前記液晶表示装置を前記表示部の機能を停止させるためのディスプレイオフコマンドであり、
前記液晶表示装置は、前記画素形成部に書き込まれたデータ電圧が放電された後にディスプレイオフ期間に移行することを特徴とする。【００１７】
本発明の第９の局面は、本発明の第７の局面において、
電源電圧を供給する電源回路を更に備え、
前記オフ信号は、前記液晶表示装置をスリープ期間に移行させるためのスリープインコマンドであり、
前記バランス制御部は、スリープインコマンドが入力されれば、前記画素形成部に書き込まれたデータ電圧を放電させた後に、前記電源電圧の供給を停止するように前記電源回路を駆動することを特徴とする。【００１８】
本発明の第１０の局面は、本発明の第２の局面において、
前記画素形成部と前記駆動部とを接続する、前記表示部に形成されたデータ信号線および走査信号線を更に備え、
前記画素形成部は、
前記データ電圧を保持するための画素容量と、
前記走査信号線に制御端子が接続され、前記データ信号線に第１導通端子が接続され、前記画素容量に第２導通端子が接続されたスイッチング素子とを含み、
前記スイッチング素子は、酸化物半導体によりチャネル層が形成された薄膜トランジスタを含むことを特徴とする。【００１９】
本発明の第１１の局面は、本発明の第１０の局面において、
前記酸化物半導体は、酸化インジウムガリウム亜鉛を主成分とすることを特徴とする。【００２０】
本発明の第１２の局面は、本発明の第１の局面において、
前記交流電圧は、１フレーム期間内に極性が複数回反転することを特徴とする。【００２１】
本発明の第１３の局面は、本発明の第１の局面において、
前記交流電圧の波形は矩形波であることを特徴とする。【００２２】
本発明の第１４の局面は、本発明の第１の局面において、
前記交流電圧の振幅は、前記入力画像データの表す画像の輝度のうち最大輝度に対応する電圧値以上の電圧であることを特徴とする。【００２３】
本発明の第１５の局面は、入力画像データに応じた電圧を表示部の液晶層に印加することにより前記入力画像データの表す画像を前記表示部に表示する液晶表示装置の駆動方法であって、
前記入力画像データに応じた電圧を前記液晶層に印加するための駆動ステップと、
前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備える。
【発明の効果】
【００２４】
本発明の第１の局面によれば、液晶表示装置の少なくとも一部の機能を停止させるオフ信号が入力されると、交流電圧を生成して液晶層に印加するように駆動部が制御される。これにより、液晶表示装置の少なくとも一部の機能が停止された時点において、液晶層への印加電圧の極性の偏りが低減されるので、液晶層内の不純物イオンの偏在による電荷の蓄積が解消または抑制される。その結果、その後に液晶表示装置を停止状態から復帰させたときにフリッカーの発生等を抑えることができる。【００２５】
本発明の第２の局面によれば、オフ信号の入力時点における極性偏り値が“０”よりも大きいとき、交流電圧生成部で生成された交流電圧を複数の画素形成部にそれぞれ印加されるように駆動部が制御される。これにより、オフ信号の入力時点における極性偏り値が“０”よりも大きければ、上記第１の発明の効果と同様の効果が得られる。【００２６】
本発明の第３の局面によれば、表示制御部に含まれているＲＥＦ／ＮＲＥＦ判別部は、フレーム期間毎にリフレッシュ期間または休止期間のいずれであるかを判定する。極性偏り算出部はその判定結果に基づいて求めた極性偏り値を保持し、オフ信号の入力時点における極性偏り値をバランス制御部に出力する。これにより、バランス制御部は、オフ信号の入力時点における極性の偏りの有無を確実に判断し、極性の偏りがある場合には、交流電圧を印加することによって極性の偏りを低減することができる。その結果、液晶表示装置の少なくとも一部の機能が停止された時点において、液晶層内の不純物イオンの偏在による電荷の蓄積が解消または抑制される。その結果、その後に液晶表示装置を停止状態から復帰させたときにフリッカーの発生等を抑えることができる。【００２７】
本発明の第４の局面によれば、オフ信号の入力時点以前においては、バランス制御部は、リフレッシュ期間と休止期間が交互に現れる休止駆動が行われるように駆動部を制御する。休止駆動を行えば極性偏り値が大きくなるので、液晶層内に不純物イオンが偏在しやすくなる。そこで、オフ信号が入力されると、当該オフ信号の入力時点までに液晶層に印加された電圧の極性の偏りを低減するために、交流電圧を生成して液晶層に印加するように駆動部を制御する。これにより、液晶層内の不純物イオンの偏在による電荷の蓄積が解消または抑制されるので、その後に液晶表示装置を停止状態から復帰させたときにフリッカーの発生等を抑えることができる。【００２８】
本発明の第５の局面によれば、各画素形成部に交流電圧を印加する際に、走査信号線を１本ずつ順にアクティブにしてデータ信号線に交流電圧を印加しても良く、または、走査信号線を複数本ずつ順にアクティブにしてデータ信号線に交流電圧を印加しても良い。いずれの場合にもアクティブな走査信号線に接続された画素形成部に順に交流電圧を印加することができる。特に、走査信号線を複数本ずつ順にアクティブにする場合には、その本数が多ければ多いほど、それに応じてより短時間で全ての画素形成部に交流電圧を印加することができる。【００２９】
本発明の第６の局面によれば、画素形成部に交流電圧を印加しているときには、バックライト光が表示部に照射されないように、バックライトユニットの電源をオフする。これにより、交流電圧を印加しているときに、表示部に画像が表示されていると誤って認識されることを防止できる。【００３０】
本発明の第７の局面によれば、交流電圧を画素形成部に印加することによって極性の偏りを解消または低減した後に、走査信号線を順にアクティブにすることによって、画素形成部に保持されているデータ電圧を基準電位になっているデータ信号線に放電させることができる。これにより、液晶表示装置の少なくとも一部の機能が停止された時点以後も、液晶層内の不純物イオンの偏在による電荷の蓄積が解消されるだけでなく、データ電圧も画素形成部に保持され続けることがなくなる。その結果、その後に液晶表示装置を停止状態から復帰させたときにフリッカーの発生等を抑えることができる。【００３１】
本発明の第８の局面によれば、オフ信号は、表示部の機能を停止させるためのディスプレイオフコマンドであり、ディスプレイオフコマンドが入力されれば、画素形成部に保持されているデータ電圧が放電された後に、表示部はその機能を停止する。このように、液晶層内の不純物イオンの偏在による電荷の蓄積が解消または抑制されるだけでなく、更にデータ電圧も放電された後に、液晶表示装置はディスプレイオフ期間に移行する。これにより、その後に液晶表示装置を停止状態から復帰させたときにフリッカーの発生等を抑えることができる。【００３２】
本発明の第９の局面によれば、オフ信号としてスリープインコマンドが入力されれば、液晶層内の不純物イオンの偏在による電荷の蓄積が解消または抑制され、更にデータ電圧が放電された後に、電源回路がオフされてスリープ期間に移行する。このように、液晶層内の不純物イオンの偏在による電荷の蓄積が解消または抑制され、データ電圧が放電された後に、更に電源電圧の供給も停止された状態でスリープ期間に移行する。これにより、液晶表示装置の消費電力を低減することができる。【００３３】
本発明の第１０の局面によれば、アクティブマトリクス型の液晶表示装置における各画素形成部のスイッチング素子として、酸化物半導体によりチャネル層が形成された薄膜トランジスタが使用される。これにより、薄膜トランジスタのオフリーク電流が大幅に低減され、各画素形成部の画素容量に書き込まれた電圧はより長期間保持される。また、交流電圧を印加することによって、オフ信号の入力時点以後の駆動部の制御によって液晶層への印加電圧の極性の偏りを低減することができる。したがって、休止駆動を行う場合には、フリッカーの発生等を抑制しつつ、画像表示のための消費電力を大幅に低減することができる。【００３４】
本発明の第１１の局面によれば、画素形成部に含まれる薄膜トランジスタのチャネル層を形成する酸化物半導体として酸化インジウムガリウム亜鉛を用いることにより、上記第１０の発明の効果を確実に得ることができる。【００３５】
本発明の第１２の局面によれば、交流電圧の極性を１フレーム期間に複数回反転させるので、液晶層内の不純物イオンの偏在による電荷の蓄積をより確実に解消することができる。【００３６】
本発明の第１３の局面によれば、交流電圧の波形は矩形波であるので、液晶表示装置に内蔵される回路を利用して効率的に生成することができる。【００３７】
本発明の第１４の局面によれば、交流電圧の振幅を、入力画像データに基づいて表示部に表示される画像の最大輝度に対応する電圧値よりも大きな電圧にすることにより、液晶層内の不純物イオンの偏在による電荷の蓄積をより確実に解消または抑制することができる。【００３８】
本発明の第１５の局面によれば、上記第１の発明の効果と同様の効果を得ることができる。
【図面の簡単な説明】
【００３９】
【図１】液晶表示装置における休止駆動の一例を説明するためのタイミングチャートである。
【図２】休止駆動を行う液晶表示装置の電源オフ時における極性の偏りを説明するための図である。より詳しくは、（Ａ）は電源がオンされてから１秒が経過するまでの期間すなわちｔ＝０〜１の期間における極性の偏りの変化と当該液晶表示装置の表示部における極性パターンとを示す図であり、（Ｂ）はｔ＝１〜２の期間における極性の偏りの変化と極性パターンとを示す図であり、（Ｃ）は、ｔ＝２〜３の期間における極性の偏りの変化と極性パターンとを示す図である。
【図３】本発明の第１の実施形態に係る液晶表示装置の構成を示すブロック図である。
【図４】本実施形態の液晶表示装置において電荷の偏りを解消するための手順を示す図である。
【図５】図４に示す交流リフレッシュ期間において交流電圧を印加することにより極性の偏りを解消する動作を示す図である。より詳しくは、（Ａ）はスリープインコマンドが入力されるまでの極性の偏りを示す図であり、（Ｂ）は交流リフレッシュ期間における極性の偏りの解消を示す図である。
【図６】図４に示す交流リフレッシュ期間にデータ信号線に印加する交流電圧の波形を示す図である。
【図７】画素形成部における不純物イオンの偏在による蓄積電荷の偏りを示す模式図であり、より詳しくは、（Ａ）は交流電圧を印加する前の蓄積電荷の偏りを示す模式図であり、（Ｂ）は交流電圧を印加した後の蓄積電荷の偏りを示す模式図である。
【図８】本発明の第２の実施形態に係る液晶表示装置の走査信号線およびデータ信号線とそれぞれの印加電圧との関係を示す図である。
【図９】本実施形態の第３の実施形態に係る液晶表示装置において表示部に画像が表示されないようにする際に、電荷の偏りを解消するための手順を示す図である。
【発明を実施するための形態】
【００４０】
以下では、休止駆動を行う液晶表示装置を中心に本発明の各実施形態を説明するが、本発明は休止駆動を行わない液晶表示装置にも適用可能である。また、休止駆動を行う液晶表示装置の説明において、表示すべき画像を表すデータ信号の電圧をデータ電圧として画素形成部に書き込むためのフレーム期間を「リフレッシュフレーム期間」といい、データ電圧の書込を休止するフレーム期間を「休止フレーム期間」という。なお、「１フレーム期間」とは１画面分のリフレッシュ（データ電圧の書換または書込）のための期間であり、「１フレーム期間」の長さは、リフレッシュレートが６０Ｈｚである一般的な表示装置における１フレーム期間の長さである１６．６７ｍｓとするが、本発明はこれに限定されない。
【００４１】
＜０．基礎検討＞
本発明の実施形態を説明する前に、上記課題を解決すべく本願発明者によりなされた基礎検討について説明する。
【００４２】
図１は、液晶表示装置における休止駆動の一例を説明するためのタイミングチャートである。この例では、１フレーム期間で１画面分のデータ電圧の書込が行われ、その後の５９フレーム期間はデータ電圧の書込が休止される。すなわち、１個のリフレッシュフレーム期間と５９個の休止フレーム期間とが交互に現れるように液晶表示装置の表示部が駆動される。したがって、リフレッシュレートは１Ｈｚであり、リフレッシュ周期は１秒である。
【００４３】
また、この例では、リフレッシュフレーム期間毎に画素形成部に書き込むべきデータ電圧の極性が反転される。図１において、電圧極性Ａは、１つの画素形成部に書き込まれたデータ電圧（すなわち当該画素形成部内の画素容量に保持される電圧）の極性を示しており、電圧極性Ｂは、他の画素形成部に書き込まれた、同一フレーム期間において当該１つの画素形成部に書き込まれるデータ電圧極性とは異なる極性のデータ電圧を示している。図１に示される電圧極性ＡおよびＢからわかるように、各画素形成部内の画素容量に保持されるデータ電圧の極性は１秒毎に反転されるので、当該データ電圧に相当する液晶層への印加電圧の極性も１秒毎に反転される。これにより、液晶層に印加されるデータ電圧の極性の反転周期（以下、単に「反転周期」という）は、休止駆動を行わない通常の液晶表示装置における反転周期（１フレーム期間＝１６．６７ｍｓ）に比べて非常に長い。
【００４４】
液晶表示装置は液晶層に電圧を印加して、液晶層の光透過率を制御することで画像を表示する。この液晶層への印加電圧に直流成分が含まれると、当該液晶層内の不純物イオンの偏在による電荷の蓄積（以下、単に「電荷の偏り」という）が生じ、その結果、フリッカーや残像等の表示不良が発生する。このため、液晶表示装置では交流駆動が行われる。交流駆動を行えば、図１に示される電圧極性ＡおよびＢのように、液晶層への印加電圧の極性を所定期間毎（典型的には１フレーム期間毎）に反転することにより当該液晶層への印加電圧の時間的平均値（または積分値）を実質的に“０”にすることができる。
【００４５】
しかし、液晶表示装置の電源がオフされるタイミングによっては液晶層への印加電圧の時間的平均値が“０”とならず電荷の偏りが生じることがある。例えば反転周期が１フレーム期間の液晶表示装置では、電源がオンされてから奇数フレーム期間が経過した時点で電源がオフされると液晶層への印加電圧の時間的積分値が“０”にならず、電荷の偏りが生じた状態で動作が停止する。このときの電荷の偏りは、正負のうち一方の極性の電圧の１フレーム期間（１６．６７ｍｓ）の印加によるものに過ぎないので、フリッカー発生等の表示不良の原因として認識されることはなかった。
【００４６】
これに対し、図１に示すような休止駆動を行う液晶表示装置は、反転周期が１秒と非常に長いので、電荷の偏りが大きい状態で電源がオフされ、動作を停止することが多い。そこで、図２を参照して電源をオフしたときの電荷の偏りを説明する。なお以下では、電源がオンされた時点を「ｔ＝０」で、電源がオンされてからｎ秒経過した時点を「ｔ＝ｎ」でそれぞれ示し、時点ｔ＝ｎ１から時点ｔ＝ｎ２までの期間を「ｔ＝ｎ１〜ｎ２」で示すものとする。
【００４７】
図２は、休止駆動を行う液晶表示装置の電源オフ時における極性の偏りを説明するための図である。ここで、「極性の偏り」とは、同一画素形成部に正極性のデータ電圧が保持される時間の総和と、当該同一画素形成部に負極性のデータ電圧が保持される時間の総和との差をいい、以下では１フレーム期間を単位として表現するが、これに限定されない。この極性の偏りは、液晶層における同一位置に対し正極性の電圧が印加されるフレーム期間の総和と負極性の電圧が印加されるフレーム期間の総和との差によって表され、この差が“０”であれば極性の偏りはないと言える。上記の「電荷の偏り」はこの「極性の偏り」に対応し、両者は同じ状態を表している。なお、図２に示す例では、電源がオンされた時点において極性の偏りはないとしている。
【００４８】
図２（Ａ）は、電源がオンされてから１秒が経過するまでの期間すなわちｔ＝０〜１の期間における極性の偏りの変化と当該液晶表示装置の表示部における極性パターンとを示している。極性の偏りの変化は図２（Ａ）における左側のグラフで実線にて示されており、極性パターンは図２（Ａ）における右側の模式図で示されている。この液晶表示装置では、図１を参照して説明したように、電源がオンされると、最初の１フレーム期間はリフレッシュ期間となり、その後の５９フレーム期間は休止期間となる。当該５９フレーム期間では、その直前のリフレッシュ期間で各画素形成部に書き込まれたデータ電圧がほぼそのまま保持される。したがって、図２（Ａ）に示すように、ｔ＝０〜１の期間では、極性の偏りが単調（直線的）に増大する。なお、図２に示される極性パターンは、説明の便宜上、垂直方向の画素数を５とし水平方向の画素数を６として示されている。また、この極性パターンは、ドット反転駆動方式を前提としているが、ライン反転駆動方式やカラム反転駆動方式等であっても良い。
【００４９】
図２（Ｂ）は、ｔ＝１〜２の期間における極性の偏りの変化と極性パターンとを示している。時点ｔ＝１（電源オン後１秒が経過した時点）の後の最初の１フレーム期間はリフレッシュ期間となり、このリフレッシュ期間におけるデータ電圧の書込により液晶層への印加電圧（各画素形成部に保持されるデータ電圧）の極性が反転される。図１を参照して説明したように、その後の５９フレーム期間は休止期間となり、当該５９フレーム期間では、その直前のリフレッシュ期間で各画素形成部に書き込まれたデータ電圧が保持される。したがって、図２（Ｂ）に示すように、ｔ＝１〜２の期間では極性の偏りが単調（直線的）に減少し、ｔ＝２の時点で極性の偏りが解消される。すなわち、ｔ＝２の時点までに液晶層に正極性電圧が印加された時間の総和と負極性電圧が印加された時間の総和とが同じとなる。これは、ｔ＝０〜１の期間に生じる極性の偏りがｔ＝１〜２の期間に生じる極性の偏りによって相殺されたことを意味する。
【００５０】
図２（Ｃ）は、ｔ＝２〜３の期間における極性の偏りの変化と極性パターンとを示している。時点ｔ＝２の後の最初の１フレーム期間はリフレッシュ期間となり、このリフレッシュ期間における各画素形成部へのデータ電圧の書込により液晶層への印加電圧の極性が反転される。その後の５９フレーム期間は、図１を参照して説明したように休止期間となる。したがって、図２（Ｃ）に示すように、ｔ＝２〜３の期間では極性の偏りが単調（直線的に）に増大する。ここで、時点ｔ＝３で電源がオフされたとすると、極性の偏りが大きい状態で液晶表示装置の動作が停止する。このため、当該液晶表示装置では、次に電源がオンされるまで、液晶層内の不純物イオンの偏在による大きな電荷が蓄積したままの状態すなわち電荷の偏り度合いが大きい状態となる。その結果、その後に電源をオンしたときに上記フリッカー発生等の問題が生じる。
【００５１】
このようなフリッカー発生等の問題は、液晶層内の不純物イオンの偏在による電荷の蓄積に起因するものであり、電荷の蓄積は液晶層への印加電圧の極性の偏り（以下、単に「極性の偏り」ともいう）によって生じると考えられる。このような不純物イオンの偏在による電荷の蓄積に起因するフリッカー発生等の問題は、画素容量における蓄積電荷を放電させるための従来のオフシーケンスを実行しても解消することはできない。
【００５２】
そこで、上記基礎検討に基づき極性の偏りに起因するフリッカー発生等の問題を解決すべくなされた本発明の実施形態について以下に説明する。
【００５３】
＜１．第１の実施形態＞
＜１．１  全体構成および動作概要＞
図３は、本発明の第１の実施形態に係る液晶表示装置１００の構成を示すブロック図である。この液晶表示装置１００は、表示制御部２００、駆動部３００、電源回路４００、表示部５００、およびバックライトユニット６００を備えている。駆動部３００は、データ信号線駆動回路としてのソースドライバ３１０と走査信号線駆動回路としてのゲートドライバ３２０とを含んでいる。表示部５００を構成する液晶パネルには、ソースドライバ３１０およびゲートドライバ３２０の双方または一方が一体的に形成されていても良い。液晶表示装置１００の外部には、主としてＣＰＵ（Central Processing Unit）により構成されるホスト９０が設けられている。ホスト９０は、後述のように、入力画像データを含むデータＤＡＴ、およびスリープインコマンドＳｓｌｐ等のコマンドを液晶表示装置１００に与える。
【００５４】
表示部５００には、複数本のデータ信号線ＳＬと、複数本の走査信号線ＧＬと、当該複数本のデータ信号線ＳＬおよび当該複数本の走査信号線ＧＬに対応してマトリクス状に配置された複数個の画素形成部１０とが形成されている。図３では、便宜上、１個の画素形成部１０と、それに対応する１本のデータ信号線ＳＬおよび１本の走査信号線ＧＬとを示している。各画素形成部１０は、対応する走査信号線ＧＬにゲート端子が接続されると共に対応するデータ信号線ＳＬにソース端子が接続されたスイッチング素子として動作する薄膜トランジスタ（ＴＦＴ）１１と、当該ＴＦＴ１１のドレイン端子に接続された画素電極１２と、上記複数個の画素形成部１０に共通的に設けられた共通電極１３と、画素電極１２と共通電極１３との間に挟持され、上記複数個の画素形成部１０に共通的に設けられた液晶層とを有している。また、画素電極１２および共通電極１３により形成される液晶容量は画素容量Ｃｐを構成する。なお、典型的には、画素容量Ｃｐに電圧を確実に保持すべく液晶容量に並列に補助容量が設けられるので、実際には画素容量Ｃｐは液晶容量および補助容量により構成される。
【００５５】
本実施形態ではＴＦＴ１１として、例えば酸化物半導体をチャネル層に用いたＴＦＴが用いられる。より詳細には、ＴＦＴ１１のチャネル層は、インジウム（Ｉｎ）、ガリウム（Ｇａ）、亜鉛（Ｚｎ）、および酸素（Ｏ）からなるＩｎＧａＺｎＯｘ（酸化インジウムガリウム亜鉛）を含む酸化物半導体により形成されている。以下では、ＩｎＧａＺｎＯｘをチャネル層に用いたＴＦＴは、多結晶シリコンやアモルファスシリコン等をチャネル層に用いたシリコン系のＴＦＴに比べてオフリーク電流がはるかに小さい。このため、画素容量Ｃｐに書き込んだ電圧をその電圧値を維持した状態でより長い期間保持することができる。なお、ＩｎＧａＺｎＯ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含んだ酸化物半導体をチャネル層に用いた場合でも同様の効果が得られる。また、ＴＦＴ１１のチャネル層として酸化物半導体を用いるのは一例であり、これに代えて、多結晶シリコンまたはアモルファスシリコン等のシリコン系の半導体を用いても良い。
【００５６】
表示制御部２００は、典型的にはＩＣ（Integrated Circuit）として実現される。表示制御部２００は、表示すべき画像を表す入力画像データを含むデータＤＡＴをホスト９０から受信し、これに応じてソースドライバ用制御信号Ｓｓｃ、ゲートドライバ用制御信号Ｓｇｃ、および共通電圧信号Ｓｃｖ等を生成し出力する。ソースドライバ用制御信号Ｓｓｃはソースドライバ３１０に与えられ、ゲートドライバ用制御信号Ｓｇｃはゲートドライバ３２０に与えられ、共通電圧信号Ｓｃｖは電源回路４００に与えられる。電源回路４００は、共通電圧信号Ｓｃｖに基づいて共通電圧を生成して、表示部５００の共通電極１３に与える。また、表示制御部２００には、液晶表示装置１００の電源をオフしてスリープ期間に移行させるスリープインコマンドＳｓｌｐがホスト９０から入力され、更に当該スリープインコマンドＳｓｌｐは、表示制御部２００を介してソースドライバ３１０およびゲートドライバ３２０にも与えられる。なお、本明細書では、スリープインコマンドＳｓｌｐ、および、後述のディスプレイオフコマンドＳｄｏｆを「オフ信号」という場合がある。また、スリープ期間および後述のディスプレイオフ期間に移行することを「少なくとも機能の一部を停止する」という場合がある。また、電源回路４００は、表示制御部２００に含まれるバランス制御回路２４等の各回路、ソースドライバ３１０およびゲートドライバ３２０、バックライトユニット６００等にも電源電圧を供給する。
【００５７】
ソースドライバ３１０は、ソースドライバ用制御信号Ｓｓｃに応じて、各データ信号線ＳＬに与えるべきデータ信号を生成して出力する。ソースドライバ用制御信号Ｓｓｃには、例えば表示すべき画像を表すデジタル映像信号、ソーススタートパルス信号、ソースクロック信号、ラッチストローブ信号、および、極性切替制御信号等が含まれる。ソースドライバ３１０は、このようなソースドライバ用制御信号Ｓｓｃに応じて、その内部の図示しないシフトレジスタおよびサンプリングラッチ回路等を動作させ、入力画像データに基づいて得られたデジタル信号を図示しないＤＡ変換回路でアナログ信号に変換することにより上記データ信号を生成する。
【００５８】
ゲートドライバ３２０は、ゲートドライバ用制御信号Ｓｇｃに応じて、アクティブな走査信号の各走査信号線ＧＬへの印加を所定周期で繰り返す。ゲートドライバ用制御信号Ｓｇｃには、例えばゲートクロック信号およびゲートスタートパルス信号が含まれる。ゲートドライバ３２０は、ゲートクロック信号およびゲートスタートパルス信号に応じて、その内部の図示しないシフトレジスタ等を動作させることにより上記走査信号を生成する。
【００５９】
電源回路４００は、ソースドライバ３１０、ゲートドライバ３２０、表示制御部２００、バックライトユニット６００等を動作させるために必要な電源電圧を供給する。表示部５００の背面側に設けられたバックライトユニット６００は、その背面側から表示部５００にバックライト光を照射する。なお、バックライトユニット６００は、表示制御部２００により制御されるものであっても良いし、その他の方法により制御されるものであっても良い。また、液晶パネルが反射型である場合には、バックライトユニット６００は不要である。
【００６０】
以上のようにして、各データ信号線ＳＬにデータ信号が印加され、各走査信号線ＧＬに走査信号が印加され、バックライトユニット６００が駆動されることにより、ホスト９０から送信されたデータＤＡＴに含まれる入力画像データの表す画像が液晶パネルの表示部５００に表示される。
【００６１】
＜１．２  表示制御回路の構成＞
図３に示すように、表示制御部２００は、ＲＥＦ／ＮＲＥＦ判別回路２１、極性偏り算出回路２２、およびバランス制御回路２４を含んでおり、更にバランス制御回路２４は交流電圧生成回路２５を含んでいる。ホスト９０から受信したデータＤＡＴはＲＥＦ／ＮＲＥＦ判別回路２１およびバランス制御回路２４に与えられ、スリープインコマンドＳｓｌｐは、バランス制御回路２４、ソースドライバ３１０およびゲートドライバ３２０に与えられる。
【００６２】
ＲＥＦ／ＮＲＥＦ判別回路２１は、ホスト９０から受信するデータＤＡＴに基づいて、フレーム期間毎にリフレッシュ期間（ＲＥＦ期間）か休止期間（ＮＲＥＦ期間）かを判定し、その判定結果を示すＲＥＦ／ＮＲＥＦ信号を生成し、極性偏り算出回路２２に与える。また、このＲＥＦ／ＮＲＥＦ信号は、極性偏り算出回路２２を介してバランス制御回路２４にも与えられる。例えば、ホスト９０から受信したデータＤＡＴに含まれる入力画像データの表す画像が１つ前のフレーム期間において表示すべき画像から変化している場合には次のフレーム期間をリフレッシュ期間と判定する。また、入力画像データの表す画像（以下「入力画像」ともいう）が変化しない期間や新たな入力画像データをホスト９０から受信しない期間が続いても、所定期間毎にリフレッシュフレーム期間が挿入されるようにＲＥＦ／ＮＲＥＦ信号が生成される。例えば、休止期間が５９フレーム期間連続した場合にはその次のフレーム期間をリフレッシュ期間とするために、ＲＥＦ／ＮＲＥＦ信号が生成される。これにより、リフレッシュ期間が１秒に１回挿入される。
【００６３】
各フレーム期間につきリフレッシュ期間とすべきか休止期間とすべきかを判定するための方法として、以下のような方法が考えられる。本実施形態では、下記（１）〜（５）の方法のいずれかを使用したり、それらの方法のうち選択された方法を組み合わせて使用したりしても良い。
【００６４】
（１）ホスト９０から受信するデータＤＡＴに含まれる入力画像データに基づいて、フレーム毎に、１つ前のフレームと比較して画像が変化しているか否かを判定し、その判定結果に応じて次のフレーム期間がリフレッシュ期間か休止期間かを判定する。
（２）ホスト９０から受信するデータＤＡＴに含まれる入力画像データを用いてフレーム毎に所定の演算処理を行い、各フレームについての演算結果をその１つ前のフレームについての演算結果と比較して画像が変化しているか否かを判定し、その判定結果に応じて次のフレームがリフレッシュ期間か休止期間かを判定する。ここでの所定演算としては、１フレームにおける画素値の総和の算出やチェックサムの算出等が考えられる。
（３）各フレーム期間につき当該フレーム期間がリフレッシュ期間か休止期間かを示す専用の信号をホスト９０から受け取る。
（４）各フレーム期間につき当該フレーム期間がリフレッシュ期間か休止期間かを示すデータをホスト９０が表示制御部２００内に設けられた特定のレジスタに書き込む。
（５）ホスト９０から受信するデータＤＡＴに入力画像のデータが含まれているフレーム期間はリフレッシュ期間であると判定し、入力画像のデータが含まれていないフレーム期間は休止期間であると判定する。
（６）ホスト９０から受信するデータＤＡＴに入力画像のデータが含まれていない場合において、定期的（所定時間毎）にリフレッシュが行われるように、各フレーム期間につき当該フレーム期間がリフレッシュ期間か休止期間かを判定する。
【００６５】
極性偏り算出回路２２は、現時点における極性偏りの度合いを示す値を格納するためのレジスタ２３を有している。以下では、このレジスタ２３を「極性偏りカウンタ２３」といい、この極性偏りカウンタ２３に格納された極性偏り度合いを示す値を記号“Ｎｂ”と表す。極性偏り算出回路２２は、この極性偏りカウント値Ｎｂを初期状態において“０”に設定し、電源がオンされた後、最初のリフレッシュフレーム期間の終了時点で“１”だけインクリメントし（値Ｎｂを“１”だけ増大させ）、その後は、次のリフレッシュフレーム期間が現れるまで、１つの休止フレーム期間が終了する毎に“１”ずつインクリメントする。すなわち、１フレーム期間毎に極性偏りカウント値Ｎｂをカウントアップさせる。なお、本実施形態では、電源がオンされた時点において極性の偏りはないとする。
【００６６】
本実施形態では、極性偏り算出回路２２は、次のリフレッシュフレーム期間が終了した時点で“１”だけデクリメントし（値Ｎｂを“１”だけ減少させ）、その後は、次のリフレッシュフレーム期間が現れるまで、１つの休止フレーム期間が終了する毎に“１”ずつデクリメントする。すなわち、１フレーム期間毎に極性偏りカウント値Ｎｂをカウントダウンさせる。以降、極性偏り算出回路２２は、リフレッシュフレーム期間が現れる毎に、極性偏りカウント値Ｎｂをカウントアップさせる動作とカウントダウンさせる動作とを交互に切り替える。その結果、電源オンの時点から現時点までに奇数回のリフレッシュが行われている場合には、現時点以降において、１つのフレーム期間が終了する毎に極性偏りカウント値Ｎｂが“１”ずつインクリメントされ、電源オンの時点から現時点までに偶数回のリフレッシュが行われている場合には、１つのフレーム期間が終了する毎に極性偏りカウント値Ｎｂが“１”ずつデクリメントされる。
【００６７】
このようにして極性偏りカウンタ２３には、液晶表示装置１００の電源のオン時点の直後に画素形成部１０に書き込まれたデータ電圧の極性と同じ極性のデータ電圧が当該画素形成部に保持されているフレーム期間の数である第１フレーム数と、当該オン時点の直後に画素形成部１０に書き込まれたデータ電圧の極性と異なる極性のデータ電圧が当該画素形成部に保持されているフレーム期間の数である第２フレーム数との差が、液晶層への印加電圧の極性の偏り度合いを示す極性偏りカウント値Ｎｂとして保持されている。この極性偏りカウント値Ｎｂは、スリープインコマンドＳｓｌｐがバランス制御回路２４に入力されたとき、バランス制御回路２４によって読み出される。
【００６８】
バランス制御回路２４は、電源がオンされた後、ホスト９０からスリープモードへの移行を指示するスリープインコマンドＳｓｌｐが入力されるまでは、ホスト９０から受信したデータＤＡＴおよび上記ＲＥＦ／ＮＲＥＦ信号に基づきソースドライバ３１０およびゲートドライバ３２０を制御する。これにより、表示部５００は、当該データＤＡＴに含まれる入力画像データの表す画像を表示するように、ソースドライバ３１０およびゲートドライバ３２０によって駆動される。既述のように、本実施形態の液晶表示装置１００は休止駆動されている。このため、上記ＲＥＦ／ＮＲＥＦ信号に基づいて、リフレッシュフレーム期間では、入力画像データに基づき各画素形成部１０に保持されているデータ電圧をその極性が反転されるように書き換えるリフレッシュが行われ、休止フレーム期間では、全ての走査信号線ＧＬを非選択状態にしてリフレッシュが休止される。この休止期間において、ホスト９０から受信した新たな入力画像データに基づく強制的なリフレッシュ（以下「強制リフレッシュ」という）が行われない場合には、所定期間毎にリフレッシュが行われ（以下、このリフレッシュを「定期リフレッシュ」という）、図１に示したような駆動が行われる。
【００６９】
＜１．３  極性の偏りを解消するための動作＞
図４は、本実施形態の液晶表示装置１００において電荷の偏りを解消するための手順を示す図である。図４に示すように、液晶表示装置１００の表示部５００に画像が表示されているフレーム期間（画像表示期間）に、ホスト９０からスリープインコマンド（SLEEPIN Command：以下「Ｓｓｌｐ」と略す）が入力されると、液晶表示装置１００は次のフレーム期間において画像の表示を中止し、交流リフレッシュ期間に移行する。
【００７０】
交流リフレッシュ期間では、バランス制御回路２４は、画像表示期間の終了時における不純物イオンの偏在による電荷の蓄積が解消されて極性偏りカウント値Ｎｂが実質的に“０”になるように、ソースドライバ３１０およびゲートドライバ３２０の動作を制御する。具体的には、データ信号線ＳＬに後述する交流電圧Ｖａｃを印加し続けた状態で、各走査信号線ＧＬを１本ずつ順にアクティブにする。これにより、アクティブな走査信号線ＧＬに接続された画素形成部１０のＴＦＴ１１がオン状態になり、液晶層に交流電圧Ｖａｃが印加される。その結果、液晶分子に付着した正および負の不純物イオンの分布が均一になり、当該画素形成部１０における電荷の蓄積が解消される。ここで、「極性の偏りが実質的に“０”になる」とは、交流電圧Ｖａｃを印加してもＲＥＦ／ＮＲＥＦ信号は入力されないので、極性偏りカウンタ２３のカウント値Ｎｂは小さくならないが、極性の偏りがなくなることをいう。なお、交流電圧Ｖａｃは、ホスト９０からスリープインコマンドＳｓｌｐが入力され交流リフレッシュ期間に移行したときに、交流電圧生成回路２５により生成される。また、交流リフレッシュ期間は、通常１フレーム期間であるが、極性の偏りカウント値Ｎｂが大きければ、２フレーム期間またはそれ以上のフレーム期間としても良い。
【００７１】
また、交流電圧Ｖａｃを印加することによって、表示部５００に画像が表示されていると誤認される場合がある。そこで、このような誤認を避けるために、交流電圧Ｖａｃが印加されている期間にはバックライトユニット６００の電源をオフにして、バックライト光を照射しないようにしておくことが好ましい。
【００７２】
交流電圧Ｖａｃを印加することによって極性の偏りを解消する交流リフレッシュ期間が終了すれば、スリープインシーケンスが開始される。スリープインシーケンスでは、まずブラックスキャンが行われる。ブラックスキャンは、スリープインコマンドＳｓｌｐがホスト９０から入力された時点において画素形成部１０の画素容量Ｃｐに保持されていたデータ電圧を放電させるために行うスキャンである。この場合、バランス制御回路２４は、画素容量Ｃｐに保持されているデータ電圧が放電されるように、ソースドライバ３１０およびゲートドライバ３２０を制御する。具体的には、ソースドライバ３１０を制御して各データ信号線ＳＬに０Ｖの電圧（基準電位ともいう）を印加し続けた状態で、ゲートドライバ３２０を制御して、走査信号線ＧＬを１本ずつ順にアクティブにし、ＴＦＴ１１をオン状態にする。これにより、画素容量Ｃｐに保持されていたデータ電圧はＴＦＴ１１を介してデータ信号線ＳＬに放電される。このとき、画素形成部１０に保持されていた画像電圧は放電されるので、表示部５００の画面は黒くなり、画像は表示されない。なお、ブラックスキャンの時間は通常１フレーム期間であるが、データ電圧をより完全に放電させるためにそれ以上のフレーム期間としても良い。
【００７３】
ブラックスキャンが終了すると、オフシーケンスが開始される。オフシーケンスでは、バランス制御回路２４は電源回路４００をオフして、ソースドライバ３１０、ゲートドライバ３２０等の各回路への電源電圧の供給を停止する。これにより、各回路はその動作を停止し、液晶表示装置１００はスリープ期間に移行する。なお、極性偏り算出回路２２の動作を停止させる際に、極性偏りカウンタ２３のカウント値Ｎｂは初期化されて“０”になる。
【００７４】
図５は、交流リフレッシュ期間において交流電圧Ｖａｃを印加することにより極性の偏りを解消する動作を示す図である。図５に示す動作は、図１に示す場合と同様に、強制リフレッシュが挿入されることなく１秒間に１回の定期リフレッシュが行われ、定期リフレッシュが行われる毎に、各画素形成部１０に保持されているデータ電圧の極性が反転される。なお、図５の見方は、図２において説明した見方と同じである。
【００７５】
図５（Ａ）は、スリープインコマンドＳｓｌｐが入力されるまでの極性の偏りを示す図である。極性偏りカウンタ２３のカウント値Ｎｂは、図５（Ａ）において点線で示すように変化している。このとき、ｔ＝２〜３の期間のある時点（スリープ期間移行指示時点）ｔａで、ホスト９０からスリープインコマンドＳｓｌｐが入力される。
【００７６】
このスリープ期間移行指示時点ｔａでは、上記極性偏りカウント値Ｎｂは大きな値になっている。このため、極性の偏りが生じていると判定され、次のフレーム期間で交流リフレッシュ期間が開始される。図５（Ｂ）は、交流リフレッシュ期間における極性の偏りの解消を示す図である。図５（Ｂ）に示すように、交流リフレッシュ期間では、画素形成部１０の画素容量Ｃｐに交流電圧Ｖａｃが印加される。これにより、不純物イオンが付着した液晶分子は均一に分布するようになり、不純物イオンの偏在による電荷の蓄積が解消される。このような電荷の蓄積が解消されれば、交流リフレッシュ期間が終了し、次のスリープインシーケンスが開始される。
【００７７】
なお、上記説明では、極性の偏りカウント値Ｎｂを１ずつインクリメントしているときに、スリープインコマンドＳｓｌｐが入力された場合について説明した。しかし、極性の偏りカウント値Ｎｂを１ずつデクリメントしているときに、スリープインコマンドＳｓｌｐが入力された場合にも同様にして、交流リフレッシュ期間に移行し、画素形成部１０の画素容量Ｃｐに交流電圧Ｖａｃを印加することにより、極性の偏りを解消することができる。このように、本実施形態では、極性の偏りの進行方向によらず同じ方法で交流電圧Ｖａｃを印加することにより、極性の偏りを解消することができる。また、上記説明では、リフレッシュは定期リフレッシュのみであるとしたが、定期リフレッシュだけでなく強制リフレッシュが含まれている場合も同様である。
【００７８】
図６は、交流リフレッシュ期間にデータ信号線ＳＬに印加する交流電圧Ｖａｃの波形を示す図である。図６に示すように、交流リフレッシュ期間に印加する交流電圧Ｖａｃの波形は矩形波が好ましい。これは、矩形波の交流電圧Ｖａｃは、液晶表示装置に内蔵される回路を利用して効率的に生成することができるからであるが、サイン波の交流電圧を印加しても同様の効果を得ることができる。
【００７９】
また、休止駆動におけるリフレッシュフレーム期間および休止フレーム期間の周波数が例えば６０Ｈｚ（１フレーム期間が１６．７ｍｓ）の場合には、印加すべき交流電圧Ｖａｃの周波数としては、その５倍〜１５倍程度、具体的には３００〜９００Ｈｚが好ましい。更に、その８倍〜１０倍程度、具体的には５００〜６００Ｈｚがより好ましい。このように、交流電圧Ｖａｃの極性を１フレーム期間に複数回反転させることにより、液晶層内の不純物イオンの偏在による電荷の蓄積をより確実に解消することができる。なお、交流電圧Ｖａｃを印加する期間は、通常は１フレーム期間であるが、上記説明のように２フレーム期間以上であっても良い。
【００８０】
なお、上記説明では、極性偏りカウント値Ｎｂが“０”になるまで交流電圧Ｖａｃを印加するとしたが、極性偏りカウント値Ｎｂが“０”に十分に近い値（電荷の偏りが無視できる程度となる値）となった時点で、上記極性偏りカウント値Ｎｂは実質的に“０”であるとして交流電圧Ｖａｃの印加を中止しても良い。
【００８１】
また、交流電圧Ｖａｃの振幅は、入力画像データに基づいて表示部に表示される画像の最大輝度に対応する電圧値よりも大きな電圧にすることが好ましい。このような振幅の大きな交流電圧Ｖａｃを印加することにより、液晶層内の不純物イオンの偏在による電荷の蓄積をより確実に解消または抑制することができる。なお、交流電圧Ｖａｃの典型的な振幅は例えば±５Ｖである。
【００８２】
次に、交流電圧Ｖａｃを印加することによって、不純物イオンの偏在による電荷の蓄積が解消される様子を説明する。図７は、画素形成部１０における不純物イオンの偏在による蓄積電荷の偏りを示す模式図であり、より詳しくは、図７（Ａ）は交流電圧Ｖａｃを印加する前の蓄積電荷の偏りを示す模式図であり、図７（Ｂ）は交流電圧Ｖａｃを印加した後の蓄積電荷の偏りを示す模式図である。図７（Ａ）に示すように、交流リフレッシュ期間における交流電圧Ｖａｃの印加前には、プラスの不純物イオンが付着した液晶分子１５ａとマイナスの不純物イオンが付着した液晶分子１５ｂは、それぞれ画素形成部１０内で集まって分布している。この状態でスリープ期間に移行すれば、移行後も偏在した不純物イオンによる直流電圧が液晶分子に印加されているので、液晶表示装置の電源を再度オンしたときに上記フリッカー発生等の問題が生じる。そこで、図７（Ｂ）に示すように、交流電圧Ｖａｃを印加すれば、プラスの不純物イオンが付着した液晶分子１５ａと、マイナスの不純物イオンが付着した液晶分子１５ｂが交流電圧Ｖａｃによって移動し均等に分布するようになる。その結果、画素形成部１０内における電荷の蓄積が解消される。この状態でスリープ期間に移行しても、不純物イオンによる直流電圧が液晶分子に印加されなくなるので、液晶表示装置の電源を再度オンしたときにフリッカー発生等の問題が生じることはなくなる。
【００８３】
＜１．４  効果＞
上記第１の実施形態によれば、スリープ期間への移行を指示するスリープインコマンドＳｓｌｐが液晶表示装置１００に入力された時点における極性の偏りを示す極性偏りカウント値Ｎｂが“０”ではない場合、バランス制御回路２４は、交流電圧生成回路２５で生成された交流電圧Ｖａｃが各画素形成部１０に印加されるようにソースドライバ３１０およびゲートドライバ３２０を制御する。これにより、液晶表示装置１００がスリープ期間に移行した時点において、液晶層内の不純物イオンの偏在による電荷の蓄積が解消される。
【００８４】
また、交流電圧Ｖａｃを画素形成部１０に印加することによって、液晶層内の不純物イオンの偏在による電荷の蓄積が解消された後に、ブラックスキャンを行うことにより、画素形成部１０に保持されているデータ電圧を放電させる。このように、交流電圧Ｖａｃを印加し、更にブラックスキャンを行うことにより、液晶表示装置１００がスリープ期間に移行した時点において、液晶層に印加される直流電圧がなくなるので、液晶表示装置１００がスリープ期間から復帰して再び画像を表示するようになったときに、液晶の焼き付きによる残像が生じたり最適共通電圧のずれによるフリッカーが生じたりするという問題が生じなくなる。
【００８５】
更に、画素形成部１０に保持されているデータ電圧が放電された後に、電源回路４００をオフされれば、液晶表示装置１００はスリープ期間に移行する。これにより、液晶表示装置１００の消費電力が低減される。
【００８６】
＜１．５  第１の実施形態の変形例＞
上記第１の実施形態では、各画素形成部１０内のスイッチング素子として、チャネル層がＩｎＧａＺｎＯｘからなるＴＦＴを使用しているので、オフリーク電流が極めて小さい。しかし、当該スイッチング素子として、チャネル層が多結晶シリコンやアモルファスシリコン等のシリコン系半導体からなるＴＦＴを使用する場合には、ＴＦＴのオフリーク電流が大きいので、ブラックスキャンを省略し、交流リフレッシュ期間が終了すれば、直ちにオフシーケンスに移行することも可能である。
【００８７】
＜２．第２の実施形態＞
図８は、本発明の第２の実施形態に係る液晶表示装置の走査信号線ＧＬおよびデータ信号線ＳＬとそれぞれの印加電圧との関係を示す図である。なお、本実施形態に係る液晶表示装置の構成は、上記第１の実施形態に係る液晶表示装置の構成と同じであるので、その説明を省略する。
【００８８】
第１の実施形態では、交流リフレッシュ期間において、各画素形成部１０に交流電圧Ｖａｃを印加するために、走査信号線ＧＬを１本ずつ順にアクティブにして、走査信号線ＧＬに接続されたＴＦＴ１１を順にオン状態にし、データ信号線ＳＬに交流電圧Ｖａｃを印加する。これにより、交流電圧Ｖａｃは、オン状態のＴＦＴを介してデータ信号線ＳＬに接続された画素容量Ｃｐに印加された。なお、以下の説明では、画素形成部１０に形成されている走査信号線ＧＬの本数をｎ本（ｎは１≦ｎを満たす整数）とする。
【００８９】
しかし、本実施形態では、図８に示すように、走査信号線ＧＬを例えば３本ずつまとめて順にアクティブにし、これら３本のアクティブな走査信号線ＧＬに接続された画素形成部１０毎に、それらの画素容量Ｃｐに交流電圧Ｖａｃを一度に印加しても良い。また、ｎ本の走査信号線ＧＬを同時にアクティブにすることによって、全ての画素形成部１０に交流電圧Ｖａｃを印加しても良い。このように、まとめてアクティブにする走査信号線ＧＬの本数は、３本ずつまたはｎ本に限定されず、ｋ（ｋは２≦ｋ≦ｎを満たす整数）本ずつまとめてアクティブにしても良い。
【００９０】
この場合、同時にアクティブにする走査信号線ＧＬの本数が多ければ多いほど、１本ずつ順にアクティブにする場合に比べて、交流リフレッシュ期間を短縮することができる。その結果、スリープインコマンドＳｓｌｐが入力されてからスリープ期間に移行するまでの時間を短縮することができる。
【００９１】
＜３．第３の実施形態＞
図９は、本実施形態の第３の実施形態に係る液晶表示装置において表示部５００に画像が表示されないようにする際に、電荷の偏りを解消するための手順を示す図である。なお、本実施形態に係る液晶表示装置の構成は、上記第１の実施形態に係る液晶表示装置の構成と同じであるので、その説明を省略する。
【００９２】
図９に示すように、液晶表示装置の表示部５００に画像が表示されているフレーム期間（画像表示期間）に、ホスト９０からディスプレイオフコマンド（Display off Command：以下「Ｓｄｏｆ」と略す）が入力されると、第１の実施形態においてスリープインコマンドＳｓｌｐが入力された場合と同様に、液晶表示装置は次のフレーム期間において画像表示を中止し、交流リフレッシュ期間に移行する。
【００９３】
交流リフレッシュ期間では、バランス制御回路２４は、画像表示期間の終了時における極性の偏りが解消されて電荷の蓄積が実質的に解消されるように、ソースドライバ３１０およびゲートドライバ３２０の動作を制御する。交流リフレッシュ期間における具体的な動作は、第１の実施形態で説明した交流リフレッシュ期間の動作と同じであるので、その説明を省略する。
【００９４】
交流リフレッシュ期間において交流電圧Ｖａｃを印加することにより不純物イオンの偏在による電荷の蓄積が解消されれば、ディスプレイオフシーケンスが開始される。ディスプレイオフシーケンスでは、まずディスプレイオフスキャン（以下「オフスキャン」と略す）が行われる。オフスキャンは、ディスプレイオフコマンドＳｄｏｆがホスト９０から入力された時点における画素形成部１０の画素容量Ｃｐに保持されていたデータ電圧をデータ信号線ＳＬに放電させるために行うスキャンである。このため、オフスキャンは、第１の実施形態において説明したブラックスキャンと名称は異なるが実質的に同じスキャンであるので、その説明を省略する。
【００９５】
なお、第１の実施形態では、ブラックスキャンの終了後に、各回路への電源電圧の供給を停止するために、電源回路４００を停止させた。しかし、ディスプレイオフシーケンスでは、第１の実施形態の場合と異なり、各回路の動作を停止させないので、図４に示すオフシーケンスに相当するものはない。このため、オフスキャンが終了すれば、液晶表示装置は直ちにディスプレイオフ期間に移行する。また、本実施形態では、オフスキャンの終了時に、極性偏りカウンタ２３のカウント値Ｎｂは初期化されて“０”になる。また、交流リフレッシュ期間およびオフスキャンの期間は、通常１フレーム期間ずつであるが、極性の偏りカウント値Ｎｂが大きければ、２フレーム期間またはそれ以上のフレーム期間としても良い。
【００９６】
このように、本実施形態に係る液晶表示装置では、ディスプレイオフコマンドＳｄｏｆが入力されれば、ディスプレイオフシーケンスが開始される前に、交流リフレッシュ期間に移行し、各画素形成部１０の画素容量Ｃｐに交流電圧Ｖａｃが印加される。これにより、不純物イオンの偏在による電荷の蓄積が解消されるので、ディスプレイオフ期間が終了して、再び画像が表示部５００に表示されたときに、液晶の焼き付きによる残像が生じたり最適共通電圧のずれによるフリッカーが生じたりするという問題が生じないようにすることができる。
【産業上の利用可能性】
【００９７】
本発明は、休止駆動を行うことが可能な液晶表示装置に適用され、特にフリッカーの発生を抑制し、表示品位の向上を図るために使用される。
【符号の説明】
【００９８】
１０  …画素形成部
１１  …薄膜トランジスタ（ＴＦＴ）
１２  …画素電極
１３  …共通電極
２１  …ＲＥＦ／ＮＲＥＦ判別回路
２２  …極性偏り算出回路
２３  …直前リフレッシュ極性偏りカウンタ
２４  …バランス制御回路
２５  …交流電圧生成回路
１００…液晶表示装置
２００…表示制御部
３００…駆動部
３１０…ソースドライバ
３２０…ゲートドライバ
４００…電源回路
５００…表示部
６００…バックライトユニット
Ｃｐ  …画素容量
Ｓｓｌｐ…スリープインコマンド（オフ信号）
Ｓｄｏｆ…ディスプレイオフコマンド（オフ信号）
【図１】
2015072402.tif 000003
【図２】
2015072402.tif 000004
【図３】
2015072402.tif 000005
【図４】
2015072402.tif 000006
【図５】
2015072402.tif 000007
【図６】
2015072402.tif 000008
【図７】
2015072402.tif 000009
【図８】
2015072402.tif 000010
【図９】
2015072402.tif 000011
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
入力画像データに応じた電圧を表示部の液晶層に印加することにより前記入力画像データの表す画像を前記表示部に表示する液晶表示装置であって、  前記入力画像データに応じた電圧を前記液晶層に印加するための駆動部と、  前記液晶表示装置の少なくとも一部の機能の停止させるオフ信号が入力されると交流電圧を生成し、前記交流電圧を前記液晶層に印加するように前記駆動部を制御する表示制御部とを備え、 前記表示部は、前記液晶層に印加すべき電圧をデータ電圧として保持するように構成された複数の画素形成部を含み、 前記表示制御部は、 前記液晶層に印加された電圧の極性偏り値を求める極性偏り算出部と、 前記オフ信号が入力されると、前記交流電圧を生成する交流電圧生成部と、 前記オフ信号の入力時点以前と入力時点以後とで前記駆動部の動作が異なるように前記駆動部を制御するバランス制御部とを含み、 前記バランス制御部は、前記オフ信号の入力時点以後において、前記極性偏り算出部により求められた前記オフ信号の入力時点における前記極性偏り値が“０”よりも大きいとき、前記交流電圧生成部で生成された前記交流電圧を前記複数の画素形成部にそれぞれ印加するように前記駆動部を制御することを特徴とする、液晶表示装置。
【請求項２】
前記表示制御部は、各フレーム期間につき当該フレーム期間が前記複数の画素形成部にデータ電圧を書き込むリフレッシュ期間または前記複数の画素形成部へのデータ電圧の書込を休止する休止期間のいずれであるかを判定するＲＥＦ／ＮＲＥＦ判別部を更に含み、  前記極性偏り算出部は、前記ＲＥＦ／ＮＲＥＦ判別部による判定結果に基づいて求めた前記極性偏り値を保持し、前記オフ信号の入力時点における前記極性偏り値を前記バランス制御部に出力することを特徴とする、請求項１に記載の液晶表示装置。
【請求項３】
前記バランス制御部は、前記オフ信号の入力時点以前においては、前記ＲＥＦ／ＮＲＥＦ判別部による判定結果に基づき、前記複数の画素形成部にデータ電圧を書き込むリフレッシュ期間と前記複数の画素形成部へのデータ電圧の書込を休止する休止期間とが交互に現れるように前記駆動部を制御することを特徴とする、請求項２に記載の液晶表示装置。
【請求項４】
前記表示部に形成され、前記画素形成部と前記駆動部とを接続する複数本のデータ信号線および複数本の走査信号線を更に備え、  前記バランス制御部は、前記複数本の走査信号線を１本または複数本ずつまとめて順にアクティブにすると共に、前記複数本のデータ信号線に前記交流電圧を印加するように駆動部を制御することを特徴とする、請求項１に記載の液晶表示装置。
【請求項５】
前記表示部の背面側に設けられ、前記表示部に向けてバックライト光を照射するためのバックライトユニットを更に備え、  前記バランス制御部は、前記画素形成部に前記交流電圧が印加されているときに、前記バックライトユニットの電源をオフするように前記バックライトユニットを制御することを特徴とする、請求項４に記載の液晶表示装置。
【請求項６】
前記表示部に形成され、前記画素形成部と前記駆動部とを接続するデータ信号線および走査信号線を更に備え、  前記交流電圧を前記画素形成部に印加した後に、前記画素形成部に保持されている前記データ電圧を放電させために、前記走査信号線を順にアクティブにし、前記データ信号線の電位を基準電位になるように前記駆動部を制御することを特徴とする、請求項１に記載の液晶表示装置。
【請求項７】
前記オフ信号は、前記液晶表示装置を前記表示部の機能を停止させるためのディスプレイオフコマンドであり、  前記液晶表示装置は、前記画素形成部に書き込まれたデータ電圧が放電された後にディスプレイオフ期間に移行することを特徴とする、請求項６に記載の液晶表示装置。
【請求項８】
電源電圧を供給する電源回路を更に備え、  前記オフ信号は、前記液晶表示装置をスリープ期間に移行させるためのスリープインコマンドであり、  前記バランス制御部は、スリープインコマンドが入力されれば、前記画素形成部に書き込まれたデータ電圧を放電させた後に、前記電源電圧の供給を停止するように前記電源回路を駆動することを特徴とする、請求項６に記載の液晶表示装置。
【請求項９】
前記画素形成部と前記駆動部とを接続する、前記表示部に形成されたデータ信号線および走査信号線を更に備え、  前記画素形成部は、    前記データ電圧を保持するための画素容量と、    前記走査信号線に制御端子が接続され、前記データ信号線に第１導通端子が接続され、前記画素容量に第２導通端子が接続されたスイッチング素子とを含み、  前記スイッチング素子は、酸化物半導体によりチャネル層が形成された薄膜トランジスタを含むことを特徴とする、請求項１に記載の液晶表示装置。
【請求項１０】
前記酸化物半導体は、酸化インジウムガリウム亜鉛を含むことを特徴とする、請求項９に記載の液晶表示装置。
【請求項１１】
入力画像データに応じた電圧を表示部の液晶層に印加することにより前記入力画像データの表す画像を前記表示部に表示する液晶表示装置であって、  前記入力画像データに応じた電圧を前記液晶層に印加するための駆動部と、  前記液晶表示装置の少なくとも一部の機能の停止させるオフ信号が入力されると交流電圧を生成し、前記交流電圧を前記液晶層に印加するように前記駆動部を制御する表示制御部とを備え、 前記交流電圧は、１フレーム期間内に極性が複数回反転することを特徴とする、液晶表示装置。
【請求項１２】
入力画像データに応じた電圧を表示部の液晶層に印加することにより前記入力画像データの表す画像を前記表示部に表示する液晶表示装置の駆動方法であって、  前記入力画像データに応じた電圧を前記液晶層に印加するための駆動ステップと、  前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備え、 前記極性偏り低減ステップは、 前記液晶層に印加された電圧の極性偏り値を求める極性偏り算出ステップと、 前記オフ信号が入力されると、前記交流電圧を生成する交流電圧生成ステップと、    前記オフ信号の入力時点以前と入力時点以後とで、前記駆動部の動作が異なるように前記駆動部を制御するバランス制御ステップとを含み、    前記バランス制御ステップは、前記オフ信号の入力時点以後において、前記極性偏り算出部により求められた前記オフ信号の入力時点における前記極性偏り値が“０”よりも大きいとき、前記交流電圧生成ステップで生成された前記交流電圧を、前記液晶層に印加すべきデータ電圧として保持するように構成された複数の画素形成部にそれぞれ印加するように制御することを特徴とする、液晶表示装置の駆動方法。
【請求項１３】
入力画像データに応じた電圧を表示部の液晶層に印加することにより前記入力画像データの表す画像を前記表示部に表示する液晶表示装置の駆動方法であって、  前記入力画像データに応じた電圧を前記液晶層に印加するための駆動ステップと、  前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備え、 前記極性偏り低減ステップは、前記交流電圧の極性を１フレーム期間内に複数回反転させるステップを含むことを特徴とする、液晶表示装置の駆動方法。
【手続補正２】
【補正対象書類名】明細書
【補正対象項目名】全文
【補正方法】変更
【補正の内容】
【発明の詳細な説明】
【技術分野】
【０００１】  本発明は、液晶表示装置およびその駆動方法に関し、特に、電源をオンしたときに発生する残像やフリッカーを抑制する液晶表示装置およびその駆動方法に関する。
【背景技術】
【０００２】  アクティブマトリクス型液晶表示装置の表示部には、複数の画素形成部がマトリクス状に形成されている。各画素形成部には、スイッチング素子として動作する薄膜トランジスタ（Thin Film Transistor：以下「ＴＦＴ」という）と、当該ＴＦＴを介してデータ信号線に接続された画素容量とが設けられている。このＴＦＴをオン／オフすることにより、画像を表示するためのデータ信号が画素形成部内の画素容量にデータ電圧として書き込まれる。このデータ電圧は画素形成部の液晶層に印加され、液晶分子の配向方向をデータ電圧値に応じた方向に変化させる。このようにして液晶表示装置は、画素形成部毎に液晶層の光透過率を制御して表示部に画像を表示する。【０００３】  しかし、上記のような液晶表示装置において、画像が表示部に表示されているときに電源がオフされれば、各画素形成部のＴＦＴもオフ状態になる。このとき画素形成部内の画素容量に保持されていたデータ電圧はその値を維持した状態でその後も保持される。すなわち、電源をオフした後も、データ電圧に相当する蓄積電荷が画素容量に残存する。このため、画素形成部におけるＴＦＴのオフリーク電流（オフ状態のときにＴＦＴに流れる電流）が小さい場合（例えば酸化インジウムガリウム亜鉛等の酸化物半導体をチャネル層に用いたＴＦＴの場合）には、直流電圧が印加され続けることにより、その後に電源をオンしたときに液晶の焼き付きによる残像が生じたり最適共通電圧のずれによるフリッカーが生じたりするという問題（以下「フリッカー発生等の問題」という）が発生する。【０００４】  特に、このようなフリッカー発生等の問題は、オフリーク電流が小さいＴＦＴを使用する「休止駆動」において生じやすい。ここで休止駆動とは、液晶表示装置の消費電力を低減するために、走査信号線を走査して表示画像のリフレッシュを行う走査期間（「リフレッシュ期間」ともいう）と、全ての走査信号線を非走査状態にしてリフレッシュを休止する休止期間（「非リフレッシュ期間」ともいう）とを交互に設ける駆動方法である。【０００５】  これに対し、オフシーケンス動作において電源をオフする前に、ＴＦＴのオフ抵抗が低下するように走査信号線の電位を制御する構成が日本の特開２０１１−８５６８０号公報に記載されている。この構成によれば、画素形成部に保持されている電圧は速やかにクリアされるので、電源をオフしたときに画素形成部に蓄積電荷が残存しにくくなる。
【先行技術文献】
【特許文献】
【０００６】
【特許文献１】日本の特開２０１１−８５６８０号公報
【発明の概要】
【発明が解決しようとする課題】
【０００７】  しかしながら、本願発明者は、休止駆動を行う液晶表示装置では、電源オフ後に、画素容量に保持されているデータ電圧（画素容量に蓄積された電荷）を放電させるべく日本の特開２０１１−８５６８０号公報に記載の構成を採用しても、液晶層内の不純物イオンの偏在による電荷の蓄積に起因するフリッカー発生等の問題が解消されないことを見出した。【０００８】  そこで本発明は、休止駆動を行う場合であってもフリッカー発生等の問題が生じない液晶表示装置およびその駆動方法を提供することを目的とする。
【課題を解決するための手段】
【０００９】  本発明の第１の局面は、入力画像データに応じた電圧を表示部の液晶層に印加することにより前記入力画像データの表す画像を前記表示部に表示する液晶表示装置であって、  前記入力画像データに応じた電圧を前記液晶層に印加するための駆動部と、  前記液晶表示装置の少なくとも一部の機能の停止させるオフ信号が入力されると交流電圧を生成し、前記交流電圧を前記液晶層に印加するように前記駆動部を制御する表示制御部とを備え、 前記表示部は、前記液晶層に印加すべき電圧をデータ電圧として保持するように構成された複数の画素形成部を含み、 前記表示制御部は、 前記液晶層に印加された電圧の極性偏り値を求める極性偏り算出部と、 前記オフ信号が入力されると、前記交流電圧を生成する交流電圧生成部と、 前記オフ信号の入力時点以前と入力時点以後とで前記駆動部の動作が異なるように前記駆動部を制御するバランス制御部とを含み、 前記バランス制御部は、前記オフ信号の入力時点以後において、前記極性偏り算出部により求められた前記オフ信号の入力時点における前記極性偏り値が“０”よりも大きいとき、前記交流電圧生成部で生成された前記交流電圧を前記複数の画素形成部にそれぞれ印加するように前記駆動部を制御することを特徴とする。【００１０】  本発明の第２の局面は、本発明の第１の局面において、  前記表示制御部は、各フレーム期間につき当該フレーム期間が前記複数の画素形成部にデータ電圧を書き込むリフレッシュ期間または前記複数の画素形成部へのデータ電圧の書込を休止する休止期間のいずれであるかを判定するＲＥＦ／ＮＲＥＦ判別部を更に含み、  前記極性偏り算出部は、前記ＲＥＦ／ＮＲＥＦ判別部による判定結果に基づいて求めた前記極性偏り値を保持し、前記オフ信号の入力時点における前記極性偏り値を前記バランス制御部に出力することを特徴とする。【００１１】  本発明の第３の局面は、本発明の第２の局面において、  前記バランス制御部は、前記オフ信号の入力時点以前においては、前記ＲＥＦ／ＮＲＥＦ判別部による判定結果に基づき、前記複数の画素形成部にデータ電圧を書き込むリフレッシュ期間と前記複数の画素形成部へのデータ電圧の書込を休止する休止期間とが交互に現れるように前記駆動部を制御することを特徴とする。【００１２】  本発明の第４の局面は、本発明の第１の局面において、  前記表示部に形成され、前記画素形成部と前記駆動部とを接続する複数本のデータ信号線および複数本の走査信号線を更に備え、  前記バランス制御部は、前記複数本の走査信号線を１本または複数本ずつまとめて順にアクティブにすると共に、前記複数本のデータ信号線に前記交流電圧を印加するように駆動部を制御することを特徴とする。【００１３】  本発明の第５の局面は、本発明の第４の局面において、  前記表示部の背面側に設けられ、前記表示部に向けてバックライト光を照射するためのバックライトユニットを更に備え、  前記バランス制御部は、前記画素形成部に前記交流電圧が印加されているときに、前記バックライトユニットの電源をオフするように前記バックライトユニットを制御することを特徴とする。【００１４】  本発明の第６の局面は、本発明の第１の局面において、  前記表示部に形成さ���、前記画素形成部と前記駆動部とを接続するデータ信号線および走査信号線を更に備え、  前記交流電圧を前記画素形成部に印加した後に、前記画素形成部に保持されている前記データ電圧を放電させために、前記走査信号線を順にアクティブにし、前記データ信号線の電位を基準電位になるように前記駆動部を制御することを特徴とする。【００１５】  本発明の第７の局面は、本発明の第６の局面において、  前記オフ信号は、前記液晶表示装置を前記表示部の機能を停止させるためのディスプレイオフコマンドであり、  前記液晶表示装置は、前記画素形成部に書き込まれたデータ電圧が放電された後にディスプレイオフ期間に移行することを特徴とする。【００１６】  本発明の第８の局面は、本発明の第６の局面において、  電源電圧を供給する電源回路を更に備え、  前記オフ信号は、前記液晶表示装置をスリープ期間に移行させるためのスリープインコマンドであり、  前記バランス制御部は、スリープインコマンドが入力されれば、前記画素形成部に書き込まれたデータ電圧を放電させた後に、前記電源電圧の供給を停止するように前記電源回路を駆動することを特徴とする。【００１７】  本発明の第９の局面は、本発明の第１の局面において、  前記画素形成部と前記駆動部とを接続する、前記表示部に形成されたデータ信号線および走査信号線を更に備え、  前記画素形成部は、    前記データ電圧を保持するための画素容量と、    前記走査信号線に制御端子が接続され、前記データ信号線に第１導通端子が接続され、前記画素容量に第２導通端子が接続されたスイッチング素子とを含み、  前記スイッチング素子は、酸化物半導体によりチャネル層が形成された薄膜トランジスタを含むことを特徴とする。【００１８】  本発明の第１０の局面は、本発明の第９の局面において、  前記酸化物半導体は、酸化インジウムガリウム亜鉛を含むことを特徴とする。【００１９】  本発明の第１１の局面は、入力画像データに応じた電圧を表示部の液晶層に印加することにより前記入力画像データの表す画像を前記表示部に表示する液晶表示装置であって、  前記入力画像データに応じた電圧を前記液晶層に印加するための駆動部と、  前記液晶表示装置の少なくとも一部の機能の停止させるオフ信号が入力されると交流電圧を生成し、前記交流電圧を前記液晶層に印加するように前記駆動部を制御する表示制御部とを備え、 前記交流電圧は、１フレーム期間内に極性が複数回反転することを特徴とする。【００２０】  本発明の第１２の局面は、入力画像データに応じた電圧を表示部の液晶層に印加することにより前記入力画像データの表す画像を前記表示部に表示する液晶表示装置の駆動方法であって、  前記入力画像データに応じた電圧を前記液晶層に印加するための駆動ステップと、  前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備え、 前記極性偏り低減ステップは、 前記液晶層に印加された電圧の極性偏り値を求める極性偏り算出ステップと、 前記オフ信号が入力されると、前記交流電圧を生成する交流電圧生成ステップと、    前記オフ信号の入力時点以前と入力時点以後とで、前記駆動部の動作が異なるように前記駆動部を制御するバランス制御ステップとを含み、 前記バランス制御ステップは、前記オフ信号の入力時点以後において、前記極性偏り算出部により求められた前記オフ信号の入力時点における前記極性偏り値が“０”よりも大きいとき、前記交流電圧生成ステップで生成された前記交流電圧を、前記液晶層に印加すべきデータ電圧として保持するように構成された複数の画素形成部にそれぞれ印加するように制御することを特徴とする。【００２１】  本発明の第１３の局面は、入力画像データに応じた電圧を表示部の液晶層に印加することにより前記入力画像データの表す画像を前記表示部に表示する液晶表示装置の駆動方法であって、  前記入力画像データに応じた電圧を前記液晶層に印加するための駆動ステップと、  前記液晶表示装置の少なくとも一部の機能の停止を指示するオフ信号が入力されると、前記オフ信号の入力時点までに前記液晶層に印加された電圧による極性の偏りを低減するために、前記液晶層に交流電圧を印加する極性偏り低減ステップとを備え、 前記極性偏り低減ステップは、前記交流電圧の極性を１フレーム期間内に複数回反転させるステップを含むことを特徴とする。
【発明の効果】
【００２２】  本発明の第１の局面によれば、液晶表示装置の少なくとも一部の機能を停止させるオフ信号の入力時点における極性偏り値が“０”よりも大きいとき、交流電圧生成部で生成された交流電圧を複数の画素形成部にそれぞれ印加されるように駆動部が制御される。このように、オフ信号の入力時点における極性偏り値が“０”よりも大きいとき、液晶表示装置の少なくとも一部の機能が停止された時点において、液晶層への印加電圧の極性の偏りが低減されるので、液晶層内の不純物イオンの偏在による電荷の蓄積が解消または抑制される。その結果、その後に液晶表示装置を停止状態から復帰させたときにフリッカーの発生等を抑えることができる。【００２３】  本発明の第２の局面によれば、表示制御部に含まれているＲＥＦ／ＮＲＥＦ判別部は、フレーム期間毎にリフレッシュ期間または休止期間のいずれであるかを判定する。極性偏り算出部はその判定結果に基づいて求めた極性偏り値を保持し、オフ信号の入力時点における極性偏り値をバランス制御部に出力する。これにより、バランス制御部は、オフ信号の入力時点における極性の偏りの有無を確実に判断し、極性の偏りがある場合には、交流電圧を印加することによって極性の偏りを低減することができる。その結果、液晶表示装置の少なくとも一部の機能が停止された時点において、液晶層内の不純物イオンの偏在による電荷の蓄積が解消または抑制される。その結果、その後に液晶表示装置を停止状態から復帰させたときにフリッカーの発生等を抑えることができる。【００２４】  本発明の第３の局面によれば、オフ信号の入力時点以前においては、バランス制御部は、リフレッシュ期間と休止期間が交互に現れる休止駆動が行われるように駆動部を制御する。休止駆動を行えば極性偏り値が大きくなるので、液晶層内に不純物イオンが偏在しやすくなる。そこで、オフ信号が入力されると、当該オフ信号の入力時点までに液晶層に印加された電圧の極性の偏りを低減するために、交流電圧を生成して液晶層に印加するように駆動部を制御する。これにより、液晶層内の不純物イオンの偏在による電荷の蓄積が解消または抑制されるので、その後に液晶表示装置を停止状態から復帰させたときにフリッカーの発生等を抑えることができる。【００２５】  本発明の第４の局面によれば、各画素形成部に交流電圧を印加する際に、走査信号線を１本ずつ順にアクティブにしてデータ信号線に交流電圧を印加しても良く、または、走査信号線を複数本ずつ順にアクティブにしてデータ信号線に交流電圧を印加しても良い。いずれの場合にもアクティブな走査信号線に接続された画素形成部に順に交流電圧を印加することができる。特に、走査信号線を複数本ずつ順にアクティブにする場合には、その本数が多ければ多いほど、それに応じてより短時間で全ての画素形成部に交流電圧を印加することができる。【００２６】  本発明の第５の局面によれば、画素形成部に交流電圧を印加しているときには、バックライト光が表示部に照射されないように、バックライトユニットの電源をオフする。これにより、交流電圧を印加しているときに、表示部に画像が表示されていると誤って認識されることを防止できる。【００２７】  本発明の第６の局面によれば、交流電圧を画素形成部に印加することによって極性の偏りを解消または低減した後に、走査信号線を順にアクティブにすることによって、画素形成部に保持されているデータ電圧を基準電位になっているデータ信号線に放電させることができる。これにより、液晶表示装置の少なくとも一部の機能が停止された時点以後も、液晶層内の不純物イオンの偏在による電荷の蓄積が解消されるだけでなく、データ電圧も画素形成部に保持され続けることがなくなる。その結果、その後に液晶表示装置を停止状態から復帰させたときにフリッカーの発生等を抑えることができる。【００２８】  本発明の第７の局面によれば、オフ信号は、表示部の機能を停止させるためのディスプレイオフコマンドであり、ディスプレイオフコマンドが入力されれば、画素形成部に保持されているデータ電圧が放電された後に、表示部はその機能を停止する。このように、液晶層内の不純物イオンの偏在による電荷の蓄積が解消または抑制されるだけでなく、更にデータ電圧も放電された後に、液晶表示装置はディスプレイオフ期間に移行する。これにより、その後に液晶表示装置を停止状態から復帰させたときにフリッカーの発生等を抑えることができる。【００２９】  本発明の第８の局面によれば、オフ信号としてスリープインコマンドが入力されれば、液晶層内の不純物イオンの偏在による電荷の蓄積が解消または抑制され、更にデータ電圧が放電された後に、電源回路がオフされてスリープ期間に移行する。このように、液晶層内の不純物イオンの偏在による電荷の蓄積が解消または抑制され、データ電圧が放電された後に、更に電源電圧の供給も停止された状態でスリープ期間に移行する。これにより、液晶表示装置の消費電力を低減することができる。【００３０】  本発明の第９の局面によれば、アクティブマトリクス型の液晶表示装置における各画素形成部のスイッチング素子として、酸化物半導体によりチャネル層が形成された薄膜トランジスタが使用される。これにより、薄膜トランジスタのオフリーク電流が大幅に低減され、各画素形成部の画素容量に書き込まれた電圧はより長期間保持される。また、交流電圧を印加することによって、オフ信号の入力時点以後の駆動部の制御によって液晶層への印加電圧の極性の偏りを低減することができる。したがって、休止駆動を行う場合には、フリッカーの発生等を抑制しつつ、画像表示のための消費電力を大幅に低減することができる。【００３１】  本発明の第１０の局面によれば、画素形成部に含まれる薄膜トランジスタのチャネル層を形成する酸化物半導体として酸化インジウムガリウム亜鉛を用いることにより、上記第１０の発明の効果を確実に得ることができる。【００３２】  本発明の第１１の局面によれば、液晶表示装置の少なくとも一部の機能を停止させるオフ信号が入力されると、交流電圧を生成して液晶層に印加するように駆動部が制御される。この交流電圧の極性を１フレーム期間に複数回反転させることによって、液晶層内の不純物イオンの偏在による電荷の蓄積をより確実に解消することができる。【００３３】  本発明の第１２の局面によれば、上記第１の局面の効果と同様の効果を得ることができる。【００３４】 本発明の第１３の局面によれば、上��第１１の局面の効果と同様の効果を得ることができる。
【図面の簡単な説明】
【００３５】
【図１】液晶表示装置における休止駆動の一例を説明するためのタイミングチャートである。
【図２】休止駆動を行う液晶表示装置の電源オフ時における極性の偏りを説明するための図である。より詳しくは、（Ａ）は電源がオンされてから１秒が経過するまでの期間すなわちｔ＝０〜１の期間における極性の偏りの変化と当該液晶表示装置の表示部における極性パターンとを示す図であり、（Ｂ）はｔ＝１〜２の期間における極性の偏りの変化と極性パターンとを示す図であり、（Ｃ）は、ｔ＝２〜３の期間における極性の偏りの変化と極性パターンとを示す図である。
【図３】本発明の第１の実施形態に係る液晶表示装置の構成を示すブロック図である。
【図４】本実施形態の液晶表示装置において電荷の偏りを解消するための手順を示す図である。
【図５】図４に示す交流リフレッシュ期間において交流電圧を印加することにより極性の偏りを解消する動作を示す図である。より詳しくは、（Ａ）はスリープインコマンドが入力されるまでの極性の偏りを示す図であり、（Ｂ）は交流リフレッシュ期間における極性の偏りの解消を示す図である。
【図６】図４に示す交流リフレッシュ期間にデータ信号線に印加する交流電圧の波形を示す図である。
【図７】画素形成部における不純物イオンの偏在による蓄積電荷の偏りを示す模式図であり、より詳しくは、（Ａ）は交流電圧を印加する前の蓄積電荷の偏りを示す模式図であり、（Ｂ）は交流電圧を印加した後の蓄積電荷の偏りを示す模式図である。
【図８】本発明の第２の実施形態に係る液晶表示装置の走査信号線およびデータ信号線とそれぞれの印加電圧との関係を示す図である。
【図９】本発明の第３の実施形態に係る液晶表示装置において表示部に画像が表示されないようにする際に、電荷の偏りを解消するための手順を示す図である。
【発明を実施するための形態】
【００３６】  以下では、休止駆動を行う液晶表示装置を中心に本発明の各実施形態を説明するが、本発明は休止駆動を行わない液晶表示装置にも適用可能である。また、休止駆動を行う液晶表示装置の説明において、表示すべき画像を表すデータ信号の電圧をデータ電圧として画素形成部に書き込むためのフレーム期間を「リフレッシュフレーム期間」といい、データ電圧の書込を休止するフレーム期間を「休止フレーム期間」という。なお、「１フレーム期間」とは１画面分のリフレッシュ（データ電圧の書換または書込）のための期間であり、「１フレーム期間」の長さは、リフレッシュレートが６０Ｈｚである一般的な表示装置における１フレーム期間の長さである１６．６７ｍｓとするが、本発明はこれに限定されない。
【００３７】＜０．基礎検討＞  本発明の実施形態を説明する前に、上記課題を解決すべく本願発明者によりなされた基礎検討について説明する。
【００３８】  図１は、液晶表示装置における休止駆動の一例を説明するためのタイミングチャートである。この例では、１フレーム期間で１画面分のデータ電圧の書込が行われ、その後の５９フレーム期間はデータ電圧の書込が休止される。すなわち、１個のリフレッシュフレーム期間と５９個の休止フレーム期間とが交互に現れるように液晶表示装置の表示部が駆動される。したがって、リフレッシュレートは１Ｈｚであり、リフレッシュ周期は１秒である。
【００３９】  また、この例では、リフレッシュフレーム期間毎に画素形成部に書き込むべきデータ電圧の極性が反転される。図１において、電圧極性Ａは、１つの画素形成部に書き込まれたデータ電圧（すなわち当該画素形成部内の画素容量に保持される電圧）の極性を示しており、電圧極性Ｂは、他の画素形成部に書き込まれた、同一フレーム期間において当該１つの画素形成部に書き込まれるデータ電圧極性とは異なる極性のデータ電圧を示している。図１に示される電圧極性ＡおよびＢからわかるように、各画素形成部内の画素容量に保持されるデータ電圧の極性は１秒毎に反転されるので、当該データ電圧に相当する液晶層への印加電圧の極性も１秒毎に反転される。これにより、液晶層に印加されるデータ電圧の極性の反転周期（以下、単に「反転周期」という）は、休止駆動を行わない通常の液晶表示装置における反転周期（１フレーム期間＝１６．６７ｍｓ）に比べて非常に長い。
【００４０】  液晶表示装置は液晶層に電圧を印加して、液晶層の光透過率を制御することで画像を表示する。この液晶層への印加電圧に直流成分が含まれると、当該液晶層内の不純物イオンの偏在による電荷の蓄積（以下、単に「電荷の偏り」という）が生じ、その結果、フリッカーや残像等の表示不良が発生する。このため、液晶表示装置では交流駆動が行われる。交流駆動を行えば、図１に示される電圧極性ＡおよびＢのように、液晶層への印加電圧の極性を所定期間毎（典型的には１フレーム期間毎）に反転することにより当該液晶層への印加電圧の時間的平均値（または積分値）を実質的に“０”にすることができる。
【００４１】  しかし、液晶表示装置の電源がオフされるタイミングによっては液晶層への印加電圧の時間的平均値が“０”とならず電荷の偏りが生じることがある。例えば反転周期が１フレーム期間の液晶表示装置では、電源がオンされてから奇数フレーム期間が経過した時点で電源がオフされると液晶層への印加電圧の時間的積分値が“０”にならず、電荷の偏りが生じた状態で動作が停止する。このときの電荷の偏りは、正負のうち一方の極性の電圧の１フレーム期間（１６．６７ｍｓ）の印加によるものに過ぎないので、フリッカー発生等の表示不良の原因として認識されることはなかった。
【００４２】  これに対し、図１に示すような休止駆動を行う液晶表示装置は、反転周期が１秒と非常に長いので、電荷の偏りが大きい状態で電源がオフされ、動作を停止することが多い。そこで、図２を参照して電源をオフしたときの電荷の偏りを説明する。なお以下では、電源がオンされた時点を「ｔ＝０」で、電源がオンされてからｎ秒経過した時点を「ｔ＝ｎ」でそれぞれ示し、時点ｔ＝ｎ１から時点ｔ＝ｎ２までの期間を「ｔ＝ｎ１〜ｎ２」で示すものとする。
【００４３】  図２は、休止駆動を行う液晶表示装置の電源オフ時における極性の偏りを説明するための図である。ここで、「極性の偏り」とは、同一画素形成部に正極性のデータ電圧が保持される時間の総和と、当該同一画素形成部に負極性のデータ電圧が保持される時間の総和との差をいい、以下では１フレーム期間を単位として表現するが、これに限定されない。この極性の偏りは、液晶層における同一位置に対し正極性の電圧が印加されるフレーム期間の総和と負極性の電圧が印加されるフレーム期間の総和との差によって表され、この差が“０”であれば極性の偏りはないと言える。上記の「電荷の偏り」はこの「極性の偏り」に対応し、両者は同じ状態を表している。なお、図２に示す例では、電源がオンされた時点において極性の偏りはないとしている。
【００４４】  図２（Ａ）は、電源がオンされてから１秒が経過するまでの期間すなわちｔ＝０〜１の期間における極性の偏りの変化と当該液晶表示装置の表示部における極性パターンとを示している。極性の偏りの変化は図２（Ａ）における左側のグラフで実線にて示されており、極性パターンは図２（Ａ）における右側の模式図で示されている。この液晶表示装置では、図１を参照して説明したように、電源がオンされると、最初の１フレーム期間はリフレッシュ期間となり、その後の５９フレーム期間は休止期間となる。当該５９フレーム期間では、その直前のリフレッシュ期間で各画素形成部に書き込まれたデータ電圧がほぼそのまま保持される。したがって、図２（Ａ）に示すように、ｔ＝０〜１の期間では、極性の偏りが単調（直線的）に増大する。なお、図２に示される極性パターンは、説明の便宜上、垂直方向の画素数を５とし水平方向の画素数を６として示されている。また、この極性パターンは、ドット反転駆動方式を前提としているが、ライン反転駆動方式やカラム反転駆動方式等であっても良い。
【００４５】  図２（Ｂ）は、ｔ＝１〜２の期間における極性の偏りの変化と極性パターンとを示している。時点ｔ＝１（電源オン後１秒が経過した時点）の後の最初の１フレーム期間はリフレッシュ期間となり、このリフレッシュ期間におけるデータ電圧の書込により液晶層への印加電圧（各画素形成部に保持されるデータ電圧）の極性が反転される。図１を参照して説明したように、その後の５９フレーム期間は休止期間となり、当該５９フレーム期間では、その直前のリフレッシュ期間で各画素形成部に書き込まれたデータ電圧が保持される。したがって、図２（Ｂ）に示すように、ｔ＝１〜２の期間では極性の偏りが単調（直線的）に減少し、ｔ＝２の時点で極性の偏りが解消される。すなわち、ｔ＝２の時点までに液晶層に正極性電圧が印加された時間の総和と負極性電圧が印加された時間の総和とが同じとなる。これは、ｔ＝０〜１の期間に生じる極性の偏りがｔ＝１〜２の期間に生じる極性の偏りによって相殺されたことを意味する。
【００４６】  図２（Ｃ）は、ｔ＝２〜３の期間における極性の偏りの変化と極性パターンとを示している。時点ｔ＝２の後の最初の１フレーム期間はリフレッシュ期間となり、このリフレッシュ期間における各画素形成部へのデータ電圧の書込により液晶層への印加電圧の極性が反転される。その後の５９フレーム期間は、図１を参照して説明したように休止期間となる。したがって、図２（Ｃ）に示すように、ｔ＝２〜３の期間では極性の偏りが単調（直線的に）に増大する。ここで、時点ｔ＝３で電源がオフされたとすると、極性の偏りが大きい状態で液晶表示装置の動作が停止する。このため、当該液晶表示装置では、次に電源がオンされるまで、液晶層内の不純物イオンの偏在による大きな電荷が蓄積したままの状態すなわち電荷の偏り度合いが大きい状態となる。その結果、その後に電源をオンしたときに上記フリッカー発生等の問題が生じる。
【００４７】  このようなフリッカー発生等の問題は、液晶層内の不純物イオンの偏在による電荷の蓄積に起因するものであり、電荷の蓄積は液晶層への印加電圧の極性の偏り（以下、単に「極性の偏り」ともいう）によって生じると考えられる。このような不純物イオンの偏在による電荷の蓄積に起因するフリッカー発生等の問題は、画素容量における蓄積電荷を放電させるための従来のオフシーケンスを実行しても解消することはできない。
【００４８】  そこで、上記基礎検討に基づき極性の偏りに起因するフリッカー発生等の問題を解決すべくなされた本発明の実施形態について以下に説明する。
【００４９】＜１．第１の実施形態＞＜１．１  全体構成および動作概要＞  図３は、本発明の第１の実施形態に係る液晶表示装置１００の構成を示すブロック図である。この液晶表示装置１００は、表示制御部２００、駆動部３００、電源回路４００、表示部５００、およびバックライトユニット６００を備えている。駆動部３００は、データ信号線駆動回路としてのソースドライバ３１０と走査信号線駆動回路としてのゲートドライバ３２０とを含んでいる。表示部５００を構成する液晶パネルには、ソースドライバ３１０およびゲートドライバ３２０の双方または一方が一体的に形成されていても良い。液晶表示装置１００の外部には、主としてＣＰＵ（Central Processing Unit）により構成されるホスト９０が設けられている。ホスト９０は、後述のように、入力画像データを含むデータＤＡＴ、およびスリープインコマンド（SLEEPIN Command：以下「Ｓｓｌｐ」と略す）等のコマンドを液晶表示装置１００に与える。
【００５０】  表示部５００には、複数本のデータ信号線ＳＬと、複数本の走査信号線ＧＬと、当該複数本のデータ信号線ＳＬおよび当該複数本の走査信号線ＧＬに対応してマトリクス状に配置された複数個の画素形成部１０とが形成されている。図３では、便宜上、１個の画素形成部１０と、それに対応する１本のデータ信号線ＳＬおよび１本の走査信号線ＧＬとを示している。各画素形成部１０は、対応する走査信号線ＧＬにゲート端子が接続されると共に対応するデータ信号線ＳＬにソース端子が接続されたスイッチング素子として動作する薄膜トランジスタ（ＴＦＴ）１１と、当該ＴＦＴ１１のドレイン端子に接続された画素電極１２と、上記複数個の画素形成部１０に共通的に設けられた共通電極１３と、画素電極１２と共通電極１３との間に挟持され、上記複数個の画素形成部１０に共通的に設けられた液晶層とを有している。また、画素電極１２および共通電極１３により形成される液晶容量は画素容量Ｃｐを構成する。なお、典型的には、画素容量Ｃｐに電圧を確実に保持すべく液晶容量に並列に補助容量が設けられるので、実際には画素容量Ｃｐは液晶容量および補助容量により構成される。
【００５１】  本実施形態ではＴＦＴ１１として、例えば酸化物半導体をチャネル層に用いたＴＦＴが用いられる。より詳細には、ＴＦＴ１１のチャネル層は、インジウム（Ｉｎ）、ガリウム（Ｇａ）、亜鉛（Ｚｎ）、および酸素（Ｏ）からなるＩｎＧａＺｎＯｘ（酸化インジウムガリウム亜鉛）を含む酸化物半導体により形成されている。以下では、ＩｎＧａＺｎＯｘをチャネル層に用いたＴＦＴは、多結晶シリコンやアモルファスシリコン等をチャネル層に用いたシリコン系のＴＦＴに比べてオフリーク電流がはるかに小さい。このため、画素容量Ｃｐに書き込んだ電圧をその電圧値を維持した状態でより長い期間保持することができる。なお、ＩｎＧａＺｎＯ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含んだ酸化物半導体をチャネル層に用いた場合でも同様の効果が得られる。また、ＴＦＴ１１のチャネル層として酸化物半導体を用いるのは一例であり、これに代えて、多結晶シリコンまたはアモルファスシリコン等のシリコン系の半導体を用いても良い。
【００５２】  表示制御部２００は、典型的にはＩＣ（Integrated Circuit）として実現される。表示制御部２００は、表示すべき画像を表す入力画像データを含むデータＤＡＴをホスト９０から受信し、これに応じてソースドライバ用制御信号Ｓｓｃ、ゲートドライバ用制御信号Ｓｇｃ、および共通電圧信号Ｓｃｖ等を生成し出力する。ソースドライバ用制御信号Ｓｓｃはソースドライバ３１０に与えられ、ゲートドライバ用制御信号Ｓｇｃはゲートドライバ３２０に与えられ、共通電圧信号Ｓｃｖは電源回路４００に与えられる。電源回路４００は、共通電圧信号Ｓｃｖに基づいて共通電圧を生成して、表示部５００の共通電極１３に与える。また、表示制御部２００には、液晶表示装置１００の電源をオフしてスリープ期間に移行させるスリープインコマンドＳｓｌｐがホスト９０から入力され、更に当該スリープインコマンドＳｓｌｐは、表示制御部２００を介してソースドライバ３１０およびゲートドライバ３２０にも与えられる。なお、本明細書では、スリープインコマンドＳｓｌｐ、および、後述のディスプレイオフコマンドＳｄｏｆを「オフ信号」という場合がある。また、スリープ期間および後述のディスプレイオフ期間に移行することを「少なくとも機能の一部を停止する」という場合がある。また、電源回路４００は、表示制御部２００に含まれるバランス制御回路２４等の各回路、ソースドライバ３１０およびゲートドライバ３２０、バックライトユニット６００等にも電源電圧を供給する。
【００５３】  ソースドライバ３１０は、ソースドライバ用制御信号Ｓｓｃに応じて、各データ信号線ＳＬに与えるべきデータ信号を生成して出力する。ソースドライバ用制御信号Ｓｓｃには、例えば表示すべき画像を表すデジタル映像信号、ソーススタートパルス信号、ソースクロック信号、ラッチストローブ信号、および、極性切替制御信号等が含まれる。ソースドライバ３１０は、このようなソースドライバ用制御信号Ｓｓｃに応じて、その内部の図示しないシフトレジスタおよびサンプリングラッチ回路等を動作させ、入力画像データに基づいて得られたデジタル信号を図示しないＤＡ変換回路でアナログ信号に変換することにより上記データ信号を生成する。
【００５４】  ゲートドライバ３２０は、ゲートドライバ用制御信号Ｓｇｃに応じて、アクティブな走査信号の各走査信号線ＧＬへの印加を所定周期で繰り返す。ゲートドライバ用制御信号Ｓｇｃには、例えばゲートクロック信号およびゲートスタートパルス信号が含まれる。ゲートドライバ３２０は、ゲートクロック信号およびゲートスタートパルス信号に応じて、その内部の図示しないシフトレジスタ等を動作させることにより上記走査信号を生成する。
【００５５】  電源回路４００は、ソースドライバ３１０、ゲートドライバ３２０、表示制御部２００、バックライトユニット６００等を動作させるために必要な電源電圧を供給する。表示部５００の背面側に設けられたバックライトユニット６００は、その背面側から表示部５００にバックライト光を照射する。なお、バックライトユニット６００は、表示制御部２００により制御されるものであっても良いし、その他の方法により制御されるものであっても良い。また、液晶パネルが反射型である場合には、バックライトユニット６００は不要である。
【００５６】  以上のようにして、各データ信号線ＳＬにデータ信号が印加され、各走査信号線ＧＬに走査信号が印加され、バックライトユニット６００が駆動されることにより、ホスト９０から送信されたデータＤＡＴに含まれる入力画像データの表す画像が液晶パネルの表示部５００に表示される。
【００５７】＜１．２  表示制御回路の構成＞  図３に示すように、表示制御部２００は、ＲＥＦ／ＮＲＥＦ判別回路２１、極性偏り算出回路２２、およびバランス制御回路２４を含んでおり、更にバランス制御回路２４は交流電圧生成回路２５を含んでいる。ホスト９０から受信したデータＤＡＴはＲＥＦ／ＮＲＥＦ判別回路２１およびバランス制御回路２４に与えられ、スリープインコマンドＳｓｌｐは、バランス制御回路２４、ソースドライバ３１０およびゲートドライバ３２０に与えられる。
【００５８】  ＲＥＦ／ＮＲＥＦ判別回路２１は、ホスト９０から受信するデータＤＡＴに基づいて、フレーム期間毎にリフレッシュ期間（ＲＥＦ期間）か休止期間（ＮＲＥＦ期間）かを判定し、その判定結果を示すＲＥＦ／ＮＲＥＦ信号を生成し、極性偏り算出回路２２に与える。また、このＲＥＦ／ＮＲＥＦ信号は、極性偏り算出回路２２を介してバランス制御回路２４にも与えられる。例えば、ホスト９０から受信したデータＤＡＴに含まれる入力画像データの表す画像が１つ前のフレーム期間において表示すべき画像から変化している場合には次のフレーム期間をリフレッシュ期間と判定する。また、入力画像データの表す画像（以下「入力画像」ともいう）が変化しない期間や新たな入力画像データをホスト９０から受信しない期間が続いても、所定期間毎にリフレッシュフレーム期間が挿入されるようにＲＥＦ／ＮＲＥＦ信号が生成される。例えば、休止期間が５９フレーム期間連続した場合にはその次のフレーム期間をリフレッシュ期間とするために、ＲＥＦ／ＮＲＥＦ信号が生成される。これにより、リフレッシュ期間が１秒に１回挿入される。
【００５９】  各フレーム期間につきリフレッシュ期間とすべきか休止期間とすべきかを判定するための方法として、以下のような方法が考えられる。本実施形態では、下記（１）〜（５）の方法のいずれかを使用したり、それらの方法のうち選択された方法を組み合わせて使用したりしても良い。
【００６０】（１）ホスト９０から受信するデータＤＡＴに含まれる入力画像データに基づいて、フレーム毎に、１つ前のフレームと比較して画像が変化しているか否かを判定し、その判定結果に応じて次のフレーム期間がリフレッシュ期間か休止期間かを判定する。（２）ホスト９０から受信するデータＤＡＴに含まれる入力画像データを用いてフレーム毎に所定の演算処理を行い、各フレームについての演算結果をその１つ前のフレームについての演算結果と比較して画像が変化しているか否かを判定し、その判定結果に応じて次のフレーム期間がリフレッシュ期間か休止期間かを判定する。ここでの所定演算としては、１フレームにおける画素値の総和の算出やチェックサムの算出等が考えられる。（３）各フレーム期間につき当該フレーム期間がリフレッシュ期間か休止期間かを示す専用の信号をホスト９０から受け取る。（４）各フレーム期間につき当該フレーム期間がリフレッシュ期間か休止期間かを示すデータをホスト９０が表示制御部２００内に設けられた特定のレジスタに書き込む。（５）ホスト９０から受信するデータＤＡＴに入力画像のデータが含まれているフレーム期間はリフレッシュ期間であると判定し、入力画像のデータが含まれていないフレーム期間は休止期間であると判定する。（６）ホスト９０から受信するデータＤＡＴに入力画像のデータが含まれていない場合において、定期的（所定時間毎）にリフレッシュが行われるように、各フレーム期間につき当該フレーム期間がリフレッシュ期間か休止期間かを判定する。
【００６１】  極性偏り算出回路２２は、現時点における極性偏りの度合いを示す値を格納するためのレジスタ２３を有している。以下では、このレジスタ２３を「極性偏りカウンタ２３」といい、この極性偏りカウンタ２３に格納された極性偏り度合いを示す値を記号“Ｎｂ”と表す。極性偏り算出回路２２は、この極性偏りカウント値Ｎｂを初期状態において“０”に設定し、電源がオンされた後、最初のリフレッシュフレーム期間の終了時点で“１”だけインクリメントし（値Ｎｂを“１”だけ増大させ）、その後は、次のリフレッシュフレーム期間が現れるまで、１つの休止フレーム期間が終了する毎に“１”ずつインクリメントする。すなわち、１フレーム期間毎に極性偏りカウント値Ｎｂをカウントアップさせる。なお、本実施形態では、電源がオンされた時点において極性の偏りはないとする。
【００６２】  本実施形態では、極性偏り算出回路２２は、次のリフレッシュフレーム期間が終了した時点で“１”だけデクリメントし（値Ｎｂを“１”だけ減少させ）、その後は、次のリフレッシュフレーム期間が現れるまで、１つの休止フレーム期間が終了する毎に“１”ずつデクリメントする。すなわち、１フレーム期間毎に極性偏りカウント値Ｎｂをカウントダウンさせる。以降、極性偏り算出回路２２は、リフレッシュフレーム期間が現れる毎に、極性偏りカウント値Ｎｂをカウントアップさせる動作とカウントダウンさせる動作とを交互に切り替える。その結果、電源オンの時点から現時点までに奇数回のリフレッシュが行われている場合には、現時点以降において、１つのフレーム期間が終了する毎に極性偏りカウント値Ｎｂが“１”ずつインクリメントされ、電源オンの時点から現時点までに偶数回のリフレッシュが行われている場合には、１つのフレーム期間が終了する毎に極性偏りカウント値Ｎｂが“１”ずつデクリメントされる。
【００６３】  このようにして極性偏りカウンタ２３には、液晶表示装置１００の電源のオン時点の直後に画素形成部１０に書き込まれたデータ電圧の極性と同じ極性のデータ電圧が当該画素形成部に保持されているフレーム期間の数である第１フレーム数と、当該オン時点の直後に画素形成部１０に書き込まれたデータ電圧の極性と異なる極性のデータ電圧が当該画素形成部に保持されているフレーム期間の数である第２フレーム数との差が、液晶層への印加電圧の極性の偏り度合いを示す極性偏りカウント値Ｎｂとして保持されている。この極性偏りカウント値Ｎｂは、スリープインコマンドＳｓｌｐがバランス制御回路２４に入力されたとき、バランス制御回路２４によって読み出される。
【００６４】  バランス制御回路２４は、電源がオンされた後、ホスト９０からスリープモードへの移行を指示するスリープインコマンドＳｓｌｐが入力されるまでは、ホスト９０から受信したデータＤＡＴおよび上記ＲＥＦ／ＮＲＥＦ信号に基づきソースドライバ３１０およびゲートドライバ３２０を制御する。これにより、表示部５００は、当該データＤＡＴに含まれる入力画像データの表す画像を表示するように、ソースドライバ３１０およびゲートドライバ３２０によって駆動される。既述のように、本実施形態の液晶表示装置１００は休止駆動されている。このため、上記ＲＥＦ／ＮＲＥＦ信号に基づいて、リフレッシュフレーム期間では、入力画像データに基づき各画素形成部１０に保持されているデータ電圧をその極性が反転されるように書き換えるリフレッシュが行われ、休止フレーム期間では、全ての走査信号線ＧＬを非選択状態にしてリフレッシュが休止される。この休止期間において、ホスト９０から受信した新たな入力画像データに基づく強制的なリフレッシュ（以下「強制リフレッシュ」という）が行われない場合には、所定期間毎にリフレッシュが行われ（以下、このリフレッシュを「定期リフレッシュ」という）、図１に示したような駆動が行われる。
【００６５】＜１．３  極性の偏りを解消するための動作＞  図４は、本実施形態の液晶表示装置１００において電荷の偏りを解消するための手順を示す図である。図４に示すように、液晶表示装置１００の表示部５００に画像が表示されているフレーム期間（画像表示期間）に、ホスト９０からスリープインコマンドが入力されると、液晶表示装置１００は次のフレーム期間において画像の表示を中止し、交流リフレッシュ期間に移行する。
【００６６】  交流リフレッシュ期間では、バランス制御回路２４は、画像表示期間の終了時における不純物イオンの偏在による電荷の蓄積が解消されて極性偏りカウント値Ｎｂが実質的に“０”になるように、ソースドライバ３１０およびゲートドライバ３２０の動作を制御する。具体的には、データ信号線ＳＬに後述する交流電圧Ｖａｃを印加し続けた状態で、各走査信号線ＧＬを１本ずつ順にアクティブにする。これにより、アクティブな走査信号線ＧＬに接続された画素形成部１０のＴＦＴ１１がオン状態になり、液晶層に交流電圧Ｖａｃが印加される。その結果、液晶分子に付着した正および負の不純物イオンの分布が均一になり、当該画素形成部１０における電荷の蓄積が解消される。ここで、「極性の偏りが実質的に“０”になる」とは、交流電圧Ｖａｃを印加してもＲＥＦ／ＮＲＥＦ信号は入力されないので、極性偏りカウンタ２３のカウント値Ｎｂは小さくならないが、極性の偏りがなくなることをいう。なお、交流電圧Ｖａｃは、ホスト９０からスリープインコマンドＳｓｌｐが入力され交流リフレッシュ期間に移行したときに、交流電圧生成回路２５により生成される。また、交流リフレッシュ期間は、通常１フレーム期間であるが、極性の偏りカウント値Ｎｂが大きければ、２フレーム期間またはそれ以上のフレーム期間としても良い。
【００６７】  また、交流電圧Ｖａｃを印加することによって、表示部５００に画像が表示されていると誤認される場合がある。そこで、このような誤認を避けるために、交流電圧Ｖａｃが印加されている期間にはバックライトユニット６００の電源をオフにして、バックライト光を照射しないようにしておくことが好ましい。
【００６８】  交流電圧Ｖａｃを印加することによって極性の偏りを解消する交流リフレッシュ期間が終了すれば、スリープインシーケンスが開始される。スリープインシーケンスでは、まずブラックスキャンが行われる。ブラックスキャンは、スリープインコマンドＳｓｌｐがホスト９０から入力された時点において画素形成部１０の画素容量Ｃｐに保持されていたデータ電圧を放電させるために行うスキャンである。この場合、バランス制御回路２４は、画素容量Ｃｐに保持されているデータ電圧が放電されるように、ソースドライバ３１０およびゲートドライバ３２０を制御する。具体的には、ソースドライバ３１０を制御して各データ信号線ＳＬに０Ｖの電圧（基準電位ともいう）を印加し続けた状態で、ゲートドライバ３２０を制御して、走査信号線ＧＬを１本ずつ順にアクティブにし、ＴＦＴ１１をオン状態にする。これにより、画素容量Ｃｐに保持されていたデータ電圧はＴＦＴ１１を介してデータ信号線ＳＬに放電される。このとき、画素形成部１０に保持されていた画像電圧は放電されるので、表示部５００の画面は黒くなり、画像は表示されない。なお、ブラックスキャンの時間は通常１フレーム期間であるが、データ電圧をより完全に放電させるためにそれ以上のフレーム期間としても良い。
【００６９】  ブラックスキャンが終了すると、オフシーケンスが開始される。オフシーケンスでは、バランス制御回路２４は電源回路４００をオフして、ソースドライバ３１０、ゲートドライバ３２０等の各回路への電源電圧の供給を停止する。これにより、各回路はその動作を停止し、液晶表示装置１００はスリープ期間に移行する。なお、極性偏り算出回路２２の動作を停止させる際に、極性偏りカウンタ２３のカウント値Ｎｂは初期化されて“０”になる。
【００７０】  図５は、交流リフレッシュ期間において交流電圧Ｖａｃを印加することにより極性の偏りを解消する動作を示す図である。図５に示す動作は、図１に示す場合と同様に、強制リフレッシュが挿入されることなく１秒間に１回の定期リフレッシュが行われ、定期リフレッシュが行われる毎に、各画素形成部１０に保持されているデータ電圧の極性が反転される。なお、図５の見方は、図２において説明した見方と同じである。
【００７１】  図５（Ａ）は、スリープインコマンドＳｓｌｐが入力されるまでの極性の偏りを示す図である。極性偏りカウンタ２３のカウント値Ｎｂは、図５（Ａ）において点線で示すように変化している。このとき、ｔ＝２〜３の期間のある時点（スリープ期間移行指示時点）ｔａで、ホスト９０からスリープインコマンドＳｓｌｐが入力される。
【００７２】  このスリープ期間移行指示時点ｔａでは、上記極性偏りカウント値Ｎｂは大きな値になっている。このため、極性の偏りが生じていると判定され、次のフレーム期間で交流リフレッシュ期間が開始される。図５（Ｂ）は、交流リフレッシュ期間における極性の偏りの解消を示す図である。図５（Ｂ）に示すように、交流リフレッシュ期間では、画素形成部１０の画素容量Ｃｐに交流電圧Ｖａｃが印加される。これにより、不純物イオンが付着した液晶分子は均一に分布するようになり、不純物イオンの偏在による電荷の蓄積が解消される。このような電荷の蓄積が解消されれば、交流リフレッシュ期間が終了し、次のスリープインシーケンスが開始される。
【００７３】  なお、上記説明では、極性の偏りカウント値Ｎｂを１ずつインクリメントしているときに、スリープインコマンドＳｓｌｐが入力された場合について説明した。しかし、極性の偏りカウント値Ｎｂを１ずつデクリメントしているときに、スリープインコマンドＳｓｌｐが入力された場合にも同様にして、交流リフレッシュ期間に移行し、画素形成部１０の画素容量Ｃｐに交流電圧Ｖａｃを印加することにより、極性の偏りを解消することができる。このように、本実施形態では、極性の偏りの進行方向によらず同じ方法で交流電圧Ｖａｃを印加することにより、極性の偏りを解消することができる。また、上記説明では、リフレッシュは定期リフレッシュのみであるとしたが、定期リフレッシュだけでなく強制リフレッシュが含まれている場合も同様である。
【００７４】  図６は、交流リフレッシュ期間にデータ信号線ＳＬに印加する交流電圧Ｖａｃの波形を示す図である。図６に示すように、交流リフレッシュ期間に印加する交流電圧Ｖａｃの波形は矩形波が好ましい。これは、矩形波の交流電圧Ｖａｃは、液晶表示装置に内蔵される回路を利用して効率的に生成することができるからであるが、サイン波の交流電圧を印加しても同様の効果を得ることができる。
【００７５】  また、休止駆動におけるリフレッシュフレーム期間および休止フレーム期間の周波数が例えば６０Ｈｚ（１フレーム期間が１６．７ｍｓ）の場合には、印加すべき交流電圧Ｖａｃの周波数としては、その５倍〜１５倍程度、具体的には３００〜９００Ｈｚが好ましい。更に、その８倍〜１０倍程度、具体的には５００〜６００Ｈｚがより好ましい。このように、交流電圧Ｖａｃの極性を１フレーム期間に複数回反転させることにより、液晶層内の不純物イオンの偏在による電荷の蓄積をより確実に解消することができる。なお、交流電圧Ｖａｃを印加する期間は、通常は１フレーム期間であるが、上記説明のように２フレーム期間以上であっても良い。
【００７６】  なお、上記説明では、極性偏りカウント値Ｎｂが“０”になるまで交流電圧Ｖａｃを印加するとしたが、極性偏りカウント値Ｎｂが“０”に十分に近い値（電荷の偏りが無視できる程度となる値）となった時点で、上記極性偏りカウント値Ｎｂは実質的に“０”であるとして交流電圧Ｖａｃの印加を中止しても良い。
【００７７】  また、交流電圧Ｖａｃの振幅は、入力画像データに基づいて表示部に表示される画像の最大輝度に対応する電圧値よりも大きな電圧にすることが好ましい。このような振幅の大きな交流電圧Ｖａｃを印加することにより、液晶層内の不純物イオンの偏在による電荷の蓄積をより確実に解消または抑制することができる。なお、交流電圧Ｖａｃの典型的な振幅は例えば±５Ｖである。
【００７８】  次に、交流電圧Ｖａｃを印加することによって、不純物イオンの偏在による電荷の蓄積が解消される様子を説明する。図７は、画素形成部１０における不純物イオンの偏在による蓄積電荷の偏りを示す模式図であり、より詳しくは、図７（Ａ）は交流電圧Ｖａｃを印加する前の蓄積電荷の偏りを示す模式図であり、図７（Ｂ）は交流電圧Ｖａｃを印加した後の蓄積電荷の偏りを示す模式図である。図７（Ａ）に示すように、交流リフレッシュ期間における交流電圧Ｖａｃの印加前には、プラスの不純物イオンが付着した液晶分子１５ａとマイナスの不純物イオンが付着した液晶分子１５ｂは、それぞれ画素形成部１０内で集まって分布している。この状態でスリープ期間に移行すれば、移行後も偏在した不純物イオンによる直流電圧が液晶分子に印加されているので、液晶表示装置の電源を再度オンしたときに上記フリッカー発生等の問題が生じる。そこで、図７（Ｂ）に示すように、交流電圧Ｖａｃを印加すれば、プラスの不純物イオンが付着した液晶分子１５ａと、マイナスの不純物イオンが付着した液晶分子１５ｂが交流電圧Ｖａｃによって移動し均等に分布するようになる。その結果、画素形成部１０内における電荷の蓄積が解消される。この状態でスリープ期間に移行しても、不純物イオンによる直流電圧が液晶分子に印加されなくなるので、液晶表示装置の電源を再度オンしたときにフリッカー発生等の問題が生じることはなくなる。
【００７９】＜１．４  効果＞  上記第１の実施形態によれば、スリープ期間への移行を指示するスリープインコマンドＳｓｌｐが液晶表示装置１００に入力された時点における極性の偏りを示す極性偏りカウント値Ｎｂが“０”ではない場合、バランス制御回路２４は、交流電圧生成回路２５で生成された交流電圧Ｖａｃが各画素形成部１０に印加されるようにソースドライバ３１０およびゲートドライバ３２０を制御する。これにより、液晶表示装置１００がスリープ期間に移行した時点において、液晶層内の不純物イオンの偏在による電荷の蓄積が解消される。
【００８０】  また、交流電圧Ｖａｃを画素形成部１０に印加することによって、液晶層内の不純物イオンの偏在による電荷の蓄積が解消された後に、ブラックスキャンを行うことにより、画素形成部１０に保持されているデータ電圧を放電させる。このように、交流電圧Ｖａｃを印加し、更にブラックスキャンを行うことにより、液晶表示装置１００がスリープ期間に移行した時点において、液晶層に印加される直流電圧がなくなるので、液晶表示装置１００がスリープ期間から復帰して再び画像を表示するようになったときに、液晶の焼き付きによる残像が生じたり最適共通電圧のずれによるフリッカーが生じたりするという問題が生じなくなる。
【００８１】  更に、画素形成部１０に保持されているデータ電圧が放電された後に、電源回路４００をオフされれば、液晶表示装置１００はスリープ期間に移行する。これにより、液晶表示装置１００の消費電力が低減される。
【００８２】＜１．５  第１の実施形態の変形例＞  上記第１の実施形態では、各画素形成部１０内のスイッチング素子として、チャネル層がＩｎＧａＺｎＯｘからなるＴＦＴを使用しているので、オフリーク電流が極めて小さい。しかし、当該スイッチング素子として、チャネル層が多結晶シリコンやアモルファスシリコン等のシリコン系半導体からなるＴＦＴを使用する場合には、ＴＦＴのオフリーク電流が大きいので、ブラックスキャンを省略し、交流リフレッシュ期間が終了すれば、直ちにオフシーケンスに移行することも可能である。
【００８３】＜２．第２の実施形態＞  図８は、本発明の第２の実施形態に係る液晶表示装置の走査信号線ＧＬおよびデータ信号線ＳＬとそれぞれの印加電圧との関係を示す図である。なお、本実施形態に係る液晶表示装置の構成は、上記第１の実施形態に係る液晶表示装置の構成と同じであるので、その説明を省略する。
【００８４】  第１の実施形態では、交流リフレッシュ期間において、各画素形成部１０に交流電圧Ｖａｃを印加するために、走査信号線ＧＬを１本ずつ順にアクティブにして、走査信号線ＧＬに接続されたＴＦＴ１１を順にオン状態にし、データ信号線ＳＬに交流電圧Ｖａｃを印加する。これにより、交流電圧Ｖａｃは、オン状態のＴＦＴを介してデータ信号線ＳＬに接続された画素容量Ｃｐに印加された。なお、以下の説明では、画素形成部１０に形成されている走査信号線ＧＬの本数をｎ本（ｎは１≦ｎを満たす整数）とする。
【００８５】  しかし、本実施形態では、図８に示すように、走査信号線ＧＬを例えば３本ずつまとめて順にアクティブにし、これら３本のアクティブな走査信号線ＧＬに接続された画素形成部１０毎に、それらの画素容量Ｃｐに交流電圧Ｖａｃを一度に印加しても良い。また、ｎ本の走査信号線ＧＬを同時にアクティブにすることによって、全ての画素形成部１０に交流電圧Ｖａｃを印加しても良い。このように、まとめてアクティブにする走査信号線ＧＬの本数は、３本ずつまたはｎ本に限定されず、ｋ（ｋは２≦ｋ≦ｎを満たす整数）本ずつまとめてアクティブにしても良い。
【００８６】  この場合、同時にアクティブにする走査信号線ＧＬの本数が多ければ多いほど、１本ずつ順にアクティブにする場合に比べて、交流リフレッシュ期間を短縮することができる。その結果、スリープインコマンドＳｓｌｐが入力されてからスリープ期間に移行するまでの時間を短縮することができる。
【００８７】＜３．第３の実施形態＞  図９は、本実施形態の第３の実施形態に係る液晶表示装置において表示部５００に画像が表示されないようにする際に、電荷の偏りを解消するための手順を示す図である。なお、本実施形態に係る液晶表示装置の構成は、上記第１の実施形態に係る液晶表示装置の構成と同じであるので、その説明を省略する。
【００８８】  図９に示すように、液晶表示装置の表示部５００に画像が表示されているフレーム期間（画像表示期間）に、ホスト９０からディスプレイオフコマンド（Display off Command：以下「Ｓｄｏｆ」と略す）が入力されると、第１の実施形態においてスリープインコマンドＳｓｌｐが入力された場合と同様に、液晶表示装置は次のフレーム期間において画像表示を中止し、交流リフレッシュ期間に移行する。
【００８９】  交流リフレッシュ期間では、バランス制御回路２４は、画像表示期間の終了時における極性の偏りが解消されて電荷の蓄積が実質的に解消されるように、ソースドライバ３１０およびゲートドライバ３２０の動作を制御する。交流リフレッシュ期間における具体的な動作は、第１の実施形態で説明した交流リフレッシュ期間の動作と同じであるので、その説明を省略する。
【００９０】  交流リフレッシュ期間において交流電圧Ｖａｃを印加することにより不純物イオンの偏在による電荷の蓄積が解消されれば、ディスプレイオフシーケンスが開始される。ディスプレイオフシーケンスでは、まずディスプレイオフスキャン（以下「オフスキャン」と略す）が行われる。オフスキャンは、ディスプレイオフコマンドＳｄｏｆがホスト９０から入力された時点における画素形成部１０の画素容量Ｃｐに保持されていたデータ電圧をデータ信号線ＳＬに放電させるために行うスキャンである。このため、オフスキャンは、第１の実施形態において説明したブラックスキャンと名称は異なるが実質的に同じスキャンであるので、その説明を省略する。
【００９１】  なお、第１の実施形態では、ブラックスキャンの終了後に、各回路への電源電圧の供給を停止するために、電源回路４００を停止させた。しかし、ディスプレイオフシーケンスでは、第１の実施形態の場合と異なり、各回路の動作を停止させないので、図４に示すオフシーケンスに相当するものはない。このため、オフスキャンが終了すれば、液晶表示装置は直ちにディスプレイオフ期間に移行する。また、本実施形態では、オフスキャンの終了時に、極性偏りカウンタ２３のカウント値Ｎｂは初期化されて“０”になる。また、交流リフレッシュ期間およびオフスキャンの期間は、通常１フレーム期間ずつであるが、極性の偏りカウント値Ｎｂが大きければ、２フレーム期間またはそれ以上のフレーム期間としても良い。
【００９２】  このように、本実施形態に係る液晶表示装置では、ディスプレイオフコマンドＳｄｏｆが入力されれば、ディスプレイオフシーケンスが開始される前に、交流リフレッシュ期間に移行し、各画素形成部１０の画素容量Ｃｐに交流電圧Ｖａｃが印加される。これにより、不純物イオンの偏在による電荷の蓄積が解消されるので、ディスプレイオフ期間が終了して、再び画像が表示部５００に表示されたときに、液晶の焼き付きによる残像が生じたり最適共通電圧のずれによるフリッカーが生じたりするという問題が生じないようにすることができる。
【産業上の利用可能性】
【００９３】  本発明は、休止駆動を行うことが可能な液晶表示装置に適用され、特にフリッカーの発生を抑制し、表示品位の向上を図るために使用される。
【符号の説明】
【００９４】  １０  …画素形成部  １１  …薄膜トランジスタ（ＴＦＴ）  １２  …画素電極  １３  …共通電極  ２１  …ＲＥＦ／ＮＲＥＦ判別回路  ２２  …極性偏り算出回路  ２３  …直前リフレッシュ極性偏りカウンタ  ２４  …バランス制御回路  ２５  …交流電圧生成回路  １００…液晶表示装置  ２００…表示制御部  ３００…駆動部  ３１０…ソースドライバ  ３２０…ゲートドライバ  ４００…電源回路  ５００…表示部  ６００…バックライトユニット  Ｃｐ  …画素容量  Ｓｓｌｐ…スリープインコマンド（オフ信号）  Ｓｄｏｆ…ディスプレイオフコマンド（オフ信号） 
【国際調査報告】
2015072402.tif 000012
2015072402.tif 000013
2015072402.tif 000014
2015072402.tif 000015